(57)【要約】  本発明はコードブック構成方法およびユーザー機器を提供する。UEは、基地局によって送信される、アンテナポート数がXであるアンテナの参照信号と、アンテナポート数Xのコードブックサブセット制限の構成情報とを受信し、アンテナポート数Xのコードブックサブセット制限の構成情報は第1の構成情報と第2の構成情報とを含み、尚且つUEは、アンテナポート数Xのコードブックサブセット制限の構成情報に基づいて、チャネル測定とフィードバックを行うべきプリコーディング行列を判断し、尚且つUEは、参照信号に基づく測定により、チャネル測定とフィードバックを行うべき、アンテナポートのプリコーディング行列を求める。本方法では、コードブックサブセット制限の構成情報のフィードバックオーバーヘッドを減らすため、アンテナポート数Xのコードブックサブセット制限の構成情報がフィードバックのため第1の構成情報と第2の構成情報とで運ばれる。
2018530937.tif 000002
【特許請求の範囲】
【請求項１】
コードブック構成方法であって、
基地局によって送信される、アンテナポート数がXであるアンテナの参照信号と、前記アンテナポート数Xのコードブックサブセット制限の構成情報とを、ユーザー機器UEにより受信するステップであって、前記アンテナポート数Xの前記コードブックサブセット制限の前記構成情報は第1の構成情報と第2の構成情報とを含み、Xは2以上の正の整数である、前記ステップと、
前記アンテナポート数Xの前記コードブックサブセット制限の前記構成情報に基づいて、チャネル測定とフィードバックを行うべきプリコーディング行列を前記UEにより判断するステップであって、前記アンテナポート数Xの前記コードブックサブセット制限は、測定とフィードバックのため、アンテナポート数がXであるコードブック内の全プリコーディング行列からいくつかのプリコーディング行列を選択することを前記UEに命じるために使われる、前記ステップと、
アンテナポート数がXである前記アンテナの前記参照信号に基づく測定により、チャネル測定とフィードバックを行うべき前記プリコーディング行列を前記UEにより求めるステップと
を含む、コードブック構成方法。
【請求項２】
前記第1の構成情報はアンテナポート数X1のコードブックサブセット制限の構成情報であり、前記第2の構成はアンテナポート数X2のコードブックサブセット制限の構成情報であり、X＝X1×X2である、請求項1に記載の方法。
【請求項３】
前記第1の構成情報はアンテナポート数X1のコードブックサブセット制限の構成情報であり、前記第2の構成はアンテナポート数X2のコードブックサブセット制限の構成情報であり、X＝X1×X2×2である、請求項1に記載の方法。
【請求項４】
前記UEにより、前記アンテナポート数Xの前記コードブックサブセット制限の前記構成情報に基づいて、チャネル測定とフィードバックを行うべきプリコーディング行列を判断する前記ステップは、
チャネル測定とフィードバックを行うべき、アンテナポートの前記プリコーディング行列を求めるため、前記UEにより、アンテナポート数がX1であるプリコーディング行列とアンテナポート数がX2であるプリコーディング行列とでクロネッカー積を遂行するステップ
を含む、請求項2または3に記載の方法。
【請求項５】
チャネル測定とフィードバックを行うべき、アンテナポートの前記プリコーディング行列を求めるため、前記UEにより、アンテナポート数がX1であるプリコーディング行列とアンテナポート数がX2であるプリコーディング行列とでクロネッカー積を遂行する前記ステップは、
アンテナポート数がXであるプリコーディング行列のW1を求めるため、前記UEにより、アンテナポート数がX1である前記プリコーディング行列とアンテナポート数がX2である前記プリコーディング行列とで前記クロネッカー積を遂行するステップと、
前記UEにより、式W＝W1＊W2に従い、チャネル測定とフィードバックを行うべき、アンテナポートの前記プリコーディング行列を求めるステップであって、W2はX個の行を次元に含む行列であって、W1で列選択および／または相調整を遂行するために使われる、前記ステップと
を含む、請求項4に記載の方法。
【請求項６】
【数１】
2018530937.tif 000459
または
【数２】
2018530937.tif 000460
であり、
【数３】
2018530937.tif 000461
、l＝0，．．．，L，l’＝f（l）、
【数４】
2018530937.tif 000462
、k＝0，．．．，K，k’＝f（k）であり、
【数５】
2018530937.tif 000463
はクロネッカー積を表し、
【数６】
2018530937.tif 000464
はW1で水平方向にあるプリコーディング行列に相当し、
【数７】
2018530937.tif 000465
はビームグループに相当し、
【数８】
2018530937.tif 000466
は少なくとも2つの列ベクトルを含む集合であり、
【数９】
2018530937.tif 000467
の各列ベクトルはDFTベクトルであり、
【数１０】
2018530937.tif 000468
の各列ベクトルの次元は前記水平方向にある共偏波アンテナの数であり、Kは前記水平方向にあるビームグループの数であり、
【数１１】
2018530937.tif 000469
は前記水平方向にあるビームグループにおけるベクトルの数であり、
【数１２】
2018530937.tif 000470
はW1で垂直方向にあるプリコーディング行列に相当し、
【数１３】
2018530937.tif 000471
はビームグループに相当し、
【数１４】
2018530937.tif 000472
は少なくとも2つの列ベクトルを含む集合であり、
【数１５】
2018530937.tif 000473
の各列ベクトルはDFTベクトルであり、
【数１６】
2018530937.tif 000474
の各列ベクトルの次元は前記垂直方向にある共偏波アンテナの数であり、Lは前記垂直方向にあるビームグループの数であり、
【数１７】
2018530937.tif 000475
は前記垂直方向にあるビームグループにおけるベクトルの数であり、
前記第1の構成情報は
【数１８】
2018530937.tif 000476
に対応するコードブックサブセット制限の構成情報であり、前記第2の構成情報は
【数１９】
2018530937.tif 000477
に対応するコードブックサブセット制限の構成情報である、
請求項5に記載の方法。
【請求項７】
アンテナポート数がXである前記コードブックに含まれるプリコーディング行列はW＝W1（k，l）＊W2と表され、
【数２０】
2018530937.tif 000478
または
【数２１】
2018530937.tif 000479
であり、
【数２２】
2018530937.tif 000480
、l＝0，．．．，L，l’＝f（l）、
【数２３】
2018530937.tif 000481
、k＝0，．．．，K，k’＝f（k）であり、
【数２４】
2018530937.tif 000482
はクロネッカー積を表し、
【数２５】
2018530937.tif 000483
は水平方向にあるプリコーディング行列に相当し、
【数２６】
2018530937.tif 000484
はビームグループに相当し、
【数２７】
2018530937.tif 000485
は少なくとも2つの列ベクトルを含む集合であり、
【数２８】
2018530937.tif 000486
の各列ベクトルはDFTベクトルであり、
【数２９】
2018530937.tif 000487
の各列ベクトルの次元は前記水平方向にある共偏波アンテナの数であり、Kは前記水平方向にあるビームグループの数であり、
【数３０】
2018530937.tif 000488
は前記水平方向にあるビームグループにおけるベクトルの数であり、
【数３１】
2018530937.tif 000489
は垂直方向にあるプリコーディング行列に相当し、
【数３２】
2018530937.tif 000490
はビームグループに相当し、
【数３３】
2018530937.tif 000491
は少なくとも2つの列ベクトルを含む集合であり、
【数３４】
2018530937.tif 000492
の各列ベクトルはDFTベクトルであり、
【数３５】
2018530937.tif 000493
の各列ベクトルの次元は前記垂直方向にある共偏波アンテナの数であり、Lは前記垂直方向にあるビームグループの数であり、
【数３６】
2018530937.tif 000494
は前記垂直方向にあるビームグループにおけるベクトルの数であり、W2はX個の行を次元に含む行列であって、W1（k，l）で列選択および／または相調整を遂行するために使われ、
前記第1の構成情報はW1（k，l）に対応するコードブックサブセット制限の構成情報であり、前記第2の構成情報はW2に対応するコードブックサブセット制限の構成情報であり、あるいは
前記第1の構成情報は第5の副構成情報と第6の副構成情報とを含み、前記第5の副構成情報は
【数３７】
2018530937.tif 000495
に対応するコードブックサブセット制限の構成情報であり、前記第6の副構成情報は
【数３８】
2018530937.tif 000496
に対応するコードブックサブセット制限の構成情報であり、前記第2の構成情報はW2に対応するコードブックサブセット制限の構成情報である、
請求項1に記載の方法。
【請求項８】
前記第1の構成情報と前記第2の構成情報はいずれも上位レイヤーシグナリングを用いて送信され、あるいは
前記第1の構成情報は上位レイヤーシグナリングを用いて送信され、前記第2の構成情報はダイナミックシグナリングを用いて送信され、あるいは
前記第1の構成情報と前記第2の構成情報はいずれも上位レイヤーシグナリングを用いて送信される、
請求項1から7のいずれか一項に記載の方法。
【請求項９】
X1とX2でアンテナポート数が多い方のアンテナポートのコードブックサブセット制限の構成情報はダイナミックシグナリングを用いて構成され、X1とX2でアンテナポート数が少ない方のアンテナポートのコードブックサブセット制限の構成情報は上位レイヤーシグナリングを用いて構成され、あるいは
X1とX2でアンテナポート数が多い方のアンテナポートのコードブックサブセット制限の構成情報は上位レイヤーシグナリングを用いて構成され、X1とX2でアンテナポート数が少ない方のアンテナポートのコードブックサブセット制限の構成情報はダイナミックシグナリングを用いて構成される、
請求項2から7のいずれか一項に記載の方法。
【請求項１０】
アンテナポート数がX1であるコードブック内のプリコーディング行列は
【数３９】
2018530937.tif 000497
と表され、
【数４０】
2018530937.tif 000498
、
【数４１】
2018530937.tif 000499
、k＝0，．．．，K，k’＝f（k）であり、
【数４２】
2018530937.tif 000500
はクロネッカー積を表し、
【数４３】
2018530937.tif 000501
は、ダブルコードブック構造をとる、アンテナポート数がXである前記アンテナの水平方向にある前記X1個のアンテナポートの、第1のプリコーディング行列に相当し、
【数４４】
2018530937.tif 000502
は、前記ダブルコードブック構造をとる前記X1個のアンテナポートの前記第1のプリコーディング行列で対角位置にある行列に相当し、
【数４５】
2018530937.tif 000503
はビームグループに相当し、各ビームはDFTベクトルに相当し、
【数４６】
2018530937.tif 000504
は少なくとも2つの列ベクトルを含む集合であり、
【数４７】
2018530937.tif 000505
の各列ベクトルはDFTベクトルであり、
【数４８】
2018530937.tif 000506
の各列ベクトルの次元はX1／2であり、Kは前記水平方向にある前記X1個のアンテナポートに対応するビームグループの合計数であり、
【数４９】
2018530937.tif 000507
は前記水平方向にある前記X1個のアンテナポートに対応するビームグループにおけるベクトルの数であり、
【数５０】
2018530937.tif 000508
は、前記ダブルコードブック構造をとる、アンテナポート数がXである前記アンテナの前記水平方向にある前記X1個のアンテナポートの、第2のプリコーディング行列に相当し、
【数５１】
2018530937.tif 000509
はX1個の行を次元に含む行列であって、
【数５２】
2018530937.tif 000510
で列選択および／または相調整を遂行するために使われ、
前記第1の構成情報は第1の副構成情報と第2の副構成情報とを含み、前記第1の副構成情報は
【数５３】
2018530937.tif 000511
に対応するコードブックサブセット制限の構成情報であり、前記第2の副構成情報は
【数５４】
2018530937.tif 000512
に対応するコードブックサブセット制限の構成情報であり、あるいは
前記第1の構成情報は
【数５５】
2018530937.tif 000513
に対応するコードブックサブセット制限の構成情報である、
請求項2に記載の方法。
【請求項１１】
前記第1の副構成情報は上位レイヤーシグナリングを用いて送信され、前記第2の副構成情報はダイナミックシグナリングを用いて送信され、あるいは
前記第1の副構成情報はダイナミックシグナリングを用いて送信され、前記第2の副構成情報は上位レイヤーシグナリングを用いて送信される、請求項10に記載の方法。
【請求項１２】
アンテナポート数がX2であるコードブック内のプリコーディング行列は
【数５６】
2018530937.tif 000514
と表され、
【数５７】
2018530937.tif 000515
、
【数５８】
2018530937.tif 000516
、l＝0，．．．，L，l’＝f（l）であり、
【数５９】
2018530937.tif 000517
はクロネッカー積を表し、
【数６０】
2018530937.tif 000518
は、ダブルコードブック構造をとる、アンテナポート数がXである前記アンテナの垂直方向にある前記X2個のアンテナポートの、第1のプリコーディング行列に相当し、
【数６１】
2018530937.tif 000519
は、前記ダブルコードブック構造をとる、前記X2個のアンテナポートの前記第1のプリコーディング行列で対角位置にある行列に相当し、
【数６２】
2018530937.tif 000520
はビームグループに相当し、各ビームはDFTベクトルに相当し、
【数６３】
2018530937.tif 000521
は少なくとも2つの列ベクトルを含む集合であり、
【数６４】
2018530937.tif 000522
の各列ベクトルはDFTベクトルであり、
【数６５】
2018530937.tif 000523
の各列ベクトルの次元はX2／2であり、Lは前記垂直方向にある前記X2個のアンテナポートに対応するビームグループの合計数であり、
【数６６】
2018530937.tif 000524
は前記垂直方向にある前記X2個のアンテナポートに対応するビームグループにおけるベクトルの数であり、
【数６７】
2018530937.tif 000525
は、前記ダブルコードブック構造をとる、アンテナポート数がXである前記アンテナの前記垂直方向にある前記X2個のアンテナポートの、第2のプリコーディング行列に相当し、
【数６８】
2018530937.tif 000526
はX2個の行を次元に含む行列であって、
【数６９】
2018530937.tif 000527
で列選択および／または相調整を遂行するために使われ、
前記第2の構成情報は第3の副構成情報と第4の副構成情報とを含み、前記第3の副構成情報は
【数７０】
2018530937.tif 000528
に対応するコードブックサブセット制限の構成情報であり、前記第4の副構成情報は
【数７１】
2018530937.tif 000529
に対応するコードブックサブセット制限の構成情報であり、あるいは
前記第2の構成情報は
【数７２】
2018530937.tif 000530
に対応するコードブックサブセット制限の構成情報である、
請求項2または10に記載の方法。
【請求項１３】
前記第3の副構成情報は上位レイヤーシグナリングを用いて送信され、前記第4の副構成情報はダイナミックシグナリングを用いて送信され、あるいは
前記第3の副構成情報はダイナミックシグナリングを用いて送信され、前記第4の副構成情報は上位レイヤーシグナリングを用いて送信される、請求項12に記載の方法。
【請求項１４】
アンテナポート数がXである前記アンテナは少なくとも2つの行と2つの列とを有するアンテナアレーである、請求項1または7に記載の方法。
【請求項１５】
アンテナポート数がXである前記アンテナは少なくとも2つの行と2つの列とを有するアンテナアレーであり、前記X1個のアンテナポートは同じ水平次元にあり、前記X2個のアンテナポートは同じ垂直次元にある、請求項2から6または10から13のいずれか一項に記載の方法。
【請求項１６】
アンテナポート数がXである前記アンテナは少なくとも2つの行と2つの列とを有するアンテナアレーであり、X1はアンテナポート数がXである前記アンテナの列数であり、X2はアンテナポート数がXである前記アンテナの行数であり、あるいはX1はアンテナポート数がXである前記アンテナの列数の半分であり、X2はアンテナポート数がXである前記アンテナの行数であり、あるいはX1はアンテナポート数がXである前記アンテナの列数であり、X2はアンテナポート数がXである前記アンテナの行数の半分である、請求項2から6または10から13のいずれか一項に記載の方法。
【請求項１７】
前記第1の構成情報はアンテナポート数がXである前記コードブック内の前記全プリコーディング行列が区分けされた後に得られるコードブック区分のイネーブリング制限情報であり、アンテナポート数がXである前記コードブック内の前記全プリコーディング行列の区分けはあらかじめ規定され、
前記第2の構成情報は各コードブック区分にあるプリコーディング行列のイネーブリング制限情報である、請求項1に記載の方法。
【請求項１８】
前記第1の構成情報はアンテナポート数がX1であるコードブック内の全プリコーディング行列が区分けされた後に得られるコードブック区分のイネーブリング制限情報であり、アンテナポート数がX1である前記コードブック内の前記全プリコーディング行列の区分けはあらかじめ規定され、前記第2の構成情報は各コードブック区分にあるプリコーディング行列のイネーブリング制限情報であり、あるいは
前記第1の構成情報はアンテナポート数がX2であるコードブック内の全プリコーディング行列が区分けされた後に得られるコードブック区分のイネーブリング制限情報であり、アンテナポート数がX2である前記コードブック内の前記全プリコーディング行列の区分けはあらかじめ規定され、前記第2の構成情報は各コードブック区分にあるプリコーディング行列のイネーブリング制限情報である、請求項2から6のいずれか一項に記載の方法。
【請求項１９】
前記第1の構成情報と前記第2の構成情報はいずれも上位レイヤーシグナリングを用いて送信され、あるいは
前記第1の構成情報は上位レイヤーシグナリングを用いて送信され、前記第2の構成情報はダイナミックシグナリングを用いて送信され、あるいは
前記第1の構成情報はダイナミックシグナリングを用いて送信され、前記第2の構成情報は上位レイヤーシグナリングを用いて送信される、請求項17または18に記載の方法。
【請求項２０】
前記第1の構成情報はアンテナポート数X3のコードブックサブセット制限の構成情報であり、前記第2の構成情報はアンテナポート数X4のコードブックサブセット制限の構成情報であり、X＝X3＋X4であり、X3＝X4であり、前記X3個のアンテナポートと前記X4個のアンテナポートは異なる偏波方向に対応している、請求項1に記載の方法。
【請求項２１】
前記第1の構成情報はX5個のアンテナポートのコードブックサブセット制限の構成情報であり、前記第2の構成情報はX6個のアンテナポートのコードブックサブセット制限の構成情報であり、X1＝X5＋X6であり、X5＝X6であり、前記X5個のアンテナポートと前記X6個のアンテナポートは異なる偏波方向に対応しており、あるいは
前記第1の構成情報はX7個のアンテナポートのコードブックサブセット制限の構成情報であり、前記第2の構成情報はX8個のアンテナポートのコードブックサブセット制限の構成情報であり、X2＝X7＋X8であり、X7＝X8であり、前記X7個のアンテナポートと前記X8個のアンテナポートは異なる偏波方向に対応している、請求項2から6のいずれか一項に記載の方法。
【請求項２２】
アンテナポート数がXである前記コードブックに含まれるプリコーディング行列はW＝W1（k，l）＊W2＊W3と表されてよく、
【数７３】
2018530937.tif 000531
または
【数７４】
2018530937.tif 000532
であり、
【数７５】
2018530937.tif 000533
、l＝0，．．．，L，l’＝f（l）、
【数７６】
2018530937.tif 000534
、k＝0，．．．，K，k’＝f（k）であり、
【数７７】
2018530937.tif 000535
はクロネッカー積を表し、
【数７８】
2018530937.tif 000536
は水平方向にあるプリコーディング行列に相当し、
【数７９】
2018530937.tif 000537
はビームグループに相当し、
【数８０】
2018530937.tif 000538
は少なくとも2つの列ベクトルを含む集合であり、
【数８１】
2018530937.tif 000539
の各列ベクトルはDFTベクトルであり、
【数８２】
2018530937.tif 000540
の各列ベクトルの次元は前記水平方向にある共偏波アンテナの数であり、Kは前記水平方向にあるビームグループの数であり、
【数８３】
2018530937.tif 000541
は前記水平方向にあるビームグループにおけるベクトルの数であり、
【数８４】
2018530937.tif 000542
はW1で垂直方向にあるプリコーディング行列に相当し、
【数８５】
2018530937.tif 000543
はビームグループに相当し、
【数８６】
2018530937.tif 000544
は少なくとも2つの列ベクトルを含む集合であり、
【数８７】
2018530937.tif 000545
の各列ベクトルはDFTベクトルであり、
【数８８】
2018530937.tif 000546
の各列ベクトルの次元は前記垂直方向にある共偏波アンテナの数であり、Lは前記垂直方向にあるビームグループの数であり、
【数８９】
2018530937.tif 000547
は前記垂直方向にあるビームグループにおけるベクトルの数であり、W2はX個の行を次元に含む列選択行列であって、W1（k，l）で列選択を遂行するために使われ、W3は相調整行列であり、W3は2アンテナグループ間で相調整を遂行するために使われ、
前記第1の構成情報はW1（k，l）に対応するコードブックサブセット制限の構成情報であり、前記第2の構成情報はW2に対応するコードブックサブセット制限の構成情報とW3に対応するコードブックサブセット制限の構成情報であり、あるいは
前記第1の構成情報は第5の副構成情報と第6の副構成情報とを含み、前記第5の副構成情報は
【数９０】
2018530937.tif 000548
に対応するコードブックサブセット制限の構成情報であり、前記第6の副構成情報は
【数９１】
2018530937.tif 000549
に対応するコードブックサブセット制限の構成情報であり、前記第2の構成情報はW2に対応するコードブックサブセット制限の構成情報とW3に対応するコードブックサブセット制限の構成情報である、請求項1に記載の方法。
【請求項２３】
アンテナポート数がXである前記参照信号が周期的に送信される参照信号である場合に、前記UEにより、前記アンテナポート数Xの前記コードブックサブセット制限の前記構成情報に基づいて、チャネル測定とフィードバックを行うべき、アンテナポートのプリコーディング行列を判断する前記ステップは、
前記UEにより、チャネル測定とフィードバックを行うべき、アンテナポートの前記プリコーディング行列を前記第1の構成情報を用いて判断するステップ
を含み、あるいは
アンテナポート数がXである前記アンテナの前記参照信号が周期的に送信されない参照信号である場合に、前記UEにより、前記アンテナポート数Xの前記コードブックサブセット制限の前記構成情報に基づいて、チャネル測定とフィードバックを行うべき、アンテナポートのプリコーディング行列を判断する前記ステップは、
前記UEにより、チャネル測定とフィードバックを行うべき、アンテナポートの前記プリコーディング行列を前記第2の構成情報を用いて判断するステップ
を含む、
請求項1に記載の方法。
【請求項２４】
前記第1の構成情報と前記第2の構成情報はいずれも上位レイヤーシグナリングを用いて送信され、あるいは
前記第1の構成情報は上位レイヤーシグナリングを用いて送信され、前記第2の構成情報はダイナミックシグナリングを用いて送信され、あるいは
前記第1の構成情報はダイナミックシグナリングを用いて送信され、前記第2の構成情報は上位レイヤーシグナリングを用いて送信される、
請求項23に記載の方法。
【請求項２５】
前記参照信号はチャネル状態情報参照信号CSI−RSである、請求項1に記載の方法。
【請求項２６】
前記ダイナミックシグナリングはDL grantシグナリングであり、あるいはUL grantシグナリングである、請求項8、9、11、13、19、23、または24のいずれか一項に記載の方法。
【請求項２７】
ユーザー機器UEであって、
基地局によって送信される、アンテナポート数がXであるアンテナの参照信号と、前記アンテナポート数Xのコードブックサブセット制限の構成情報とを受信するよう構成された受信モジュールであって、前記アンテナポート数Xの前記コードブックサブセット制限の前記構成情報は第1の構成情報と第2の構成情報とを含み、Xは2以上の正の整数である、受信モジュールと、
前記アンテナポート数Xの前記コードブックサブセット制限の前記構成情報に基づいて、チャネル測定とフィードバックを行うべきプリコーディング行列を判断するよう構成された判断モジュールであって、前記アンテナポート数Xの前記コードブックサブセット制限は、測定とフィードバックのため、アンテナポート数がXであるコードブック内の全プリコーディング行列からいくつかのプリコーディング行列を選択することを前記UEに命じるために使われる、判断モジュールと、
アンテナポート数がXである前記アンテナの前記参照信号に基づく測定により、チャネル測定とフィードバックを行うべき前記プリコーディング行列を求めるよう構成された測定モジュールと
を含む、ユーザー機器UE。
【請求項２８】
前記第1の構成情報はアンテナポート数X1のコードブックサブセット制限の構成情報であり、前記第2の構成はアンテナポート数X2のコードブックサブセット制限の構成情報であり、X＝X1×X2である、請求項27に記載のUE。
【請求項２９】
前記第1の構成情報はアンテナポート数X1のコードブックサブセット制限の構成情報であり、前記第2の構成はアンテナポート数X2のコードブックサブセット制限の構成情報であり、X＝X1×X2×2である、請求項27に記載のUE。
【請求項３０】
前記判断モジュールは、
チャネル測定とフィードバックを行うべき、アンテナポートの前記プリコーディング行列を求めるため、アンテナポート数がX1であるプリコーディング行列とアンテナポート数がX2であるプリコーディング行列とでクロネッカー積を遂行する
よう具体的に構成される、請求項28または29に記載のUE。
【請求項３１】
前記判断モジュールは、
アンテナポート数がXであるプリコーディング行列のW1を求めるため、アンテナポート数がX1である前記プリコーディング行列とアンテナポート数がX2である前記プリコーディング行列とで前記クロネッカー積を遂行し、尚且つ
式W＝W1＊W2に従い、チャネル測定とフィードバックを行うべき、アンテナポートの前記プリコーディング行列を求めるよう具体的に構成され、W2はX個の行を次元に含む行列であって、W1で列選択および／または相調整を遂行するために使われる、
請求項30に記載のUE。
【請求項３２】
【数９２】
2018530937.tif 000550
または
【数９３】
2018530937.tif 000551
であり、
【数９４】
2018530937.tif 000552
、l＝0，．．．，L，l’＝f（l）、
【数９５】
2018530937.tif 000553
、k＝0，．．．，K，k’＝f（k）であり、
【数９６】
2018530937.tif 000554
はクロネッカー積を表し、
【数９７】
2018530937.tif 000555
はW1で水平方向にあるプリコーディング行列に相当し、
【数９８】
2018530937.tif 000556
はビームグループに相当し、
【数９９】
2018530937.tif 000557
は少なくとも2つの列ベクトルを含む集合であり、
【数１００】
2018530937.tif 000558
の各列ベクトルはDFTベクトルであり、
【数１０１】
2018530937.tif 000559
の各列ベクトルの次元は前記水平方向にある共偏波アンテナの数であり、Kは前記水平方向にあるビームグループの数であり、
【数１０２】
2018530937.tif 000560
は前記水平方向にあるビームグループにおけるベクトルの数であり、
【数１０３】
2018530937.tif 000561
はW1で垂直方向にあるプリコーディング行列に相当し、
【数１０４】
2018530937.tif 000562
はビームグループに相当し、
【数１０５】
2018530937.tif 000563
は少なくとも2つの列ベクトルを含む集合であり、
【数１０６】
2018530937.tif 000564
の各列ベクトルはDFTベクトルであり、
【数１０７】
2018530937.tif 000565
の各列ベクトルの次元は前記垂直方向にある共偏波アンテナの数であり、Lは前記垂直方向にあるビームグループの数であり、
【数１０８】
2018530937.tif 000566
は前記垂直方向にあるビームグループにおけるベクトルの数であり、
前記第1の構成情報は
【数１０９】
2018530937.tif 000567
に対応するコードブックサブセット制限の構成情報であり、前記第2の構成情報は
【数１１０】
2018530937.tif 000568
に対応するコードブックサブセット制限の構成情報である、
請求項31に記載のUE。
【請求項３３】
アンテナポート数がXである前記コードブックに含まれるプリコーディング行列はW＝W1（k，l）＊W2と表され、
【数１１１】
2018530937.tif 000569
または
【数１１２】
2018530937.tif 000570
であり、
【数１１３】
2018530937.tif 000571
、l＝0，．．．，L，l’＝f（l）、
【数１１４】
2018530937.tif 000572
、k＝0，．．．，K，k’＝f（k）であり、
【数１１５】
2018530937.tif 000573
はクロネッカー積を表し、
【数１１６】
2018530937.tif 000574
は水平方向にあるプリコーディング行列に相当し、
【数１１７】
2018530937.tif 000575
はビームグループに相当し、
【数１１８】
2018530937.tif 000576
は少なくとも2つの列ベクトルを含む集合であり、
【数１１９】
2018530937.tif 000577
の各列ベクトルはDFTベクトルであり、
【数１２０】
2018530937.tif 000578
の各列ベクトルの次元は前記水平方向にある共偏波アンテナの数であり、Kは前記水平方向にあるビームグループの数であり、
【数１２１】
2018530937.tif 000579
は前記水平方向にあるビームグループにおけるベクトルの数であり、
【数１２２】
2018530937.tif 000580
は垂直方向にあるプリコーディング行列に相当し、
【数１２３】
2018530937.tif 000581
はビームグループに相当し、
【数１２４】
2018530937.tif 000582
は少なくとも2つの列ベクトルを含む集合であり、
【数１２５】
2018530937.tif 000583
の各列ベクトルはDFTベクトルであり、
【数１２６】
2018530937.tif 000584
の各列ベクトルの次元は前記垂直方向にある共偏波アンテナの数であり、Lは前記垂直方向にあるビームグループの数であり、
【数１２７】
2018530937.tif 000585
は前記垂直方向にあるビームグループにおけるベクトルの数であり、W2はX個の行を次元に含む行列であって、W1（k，l）で列選択および／または相調整を遂行するために使われ、
前記第1の構成情報はW1（k，l）に対応するコードブックサブセット制限の構成情報であり、前記第2の構成情報はW2に対応するコードブックサブセット制限の構成情報であり、あるいは
前記第1の構成情報は第5の副構成情報と第6の副構成情報とを含み、前記第5の副構成情報は
【数１２８】
2018530937.tif 000586
に対応するコードブックサブセット制限の構成情報であり、前記第6の副構成情報は
【数１２９】
2018530937.tif 000587
に対応するコードブックサブセット制限の構成情報であり、前記第2の構成情報はW2に対応するコードブックサブセット制限の構成情報である、
請求項27に記載のUE。
【請求項３４】
前記第1の構成情報と前記第2の構成情報はいずれも上位レイヤーシグナリングを用いて送信され、あるいは
前記第1の構成情報は上位レイヤーシグナリングを用いて送信され、前記第2の構成情報はダイナミックシグナリングを用いて送信され、あるいは
前記第1の構成情報と前記第2の構成情報はいずれも上位レイヤーシグナリングを用いて送信される、
請求項27から33のいずれか一項に記載のUE。
【請求項３５】
X1とX2でアンテナポート数が多い方のアンテナポートのコードブックサブセット制限の構成情報はダイナミックシグナリングを用いて構成され、X1とX2でアンテナポート数が少ない方のアンテナポートのコードブックサブセット制限の構成情報は上位レイヤーシグナリングを用いて構成され、あるいは
X1とX2でアンテナポート数が多い方のアンテナポートのコードブックサブセット制限の構成情報は上位レイヤーシグナリングを用いて構成され、X1とX2でアンテナポート数が少ない方のアンテナポートのコードブックサブセット制限の構成情報はダイナミックシグナリングを用いて構成される、
請求項28から33のいずれか一項に記載のUE。
【請求項３６】
アンテナポート数がX1であるコードブック内のプリコーディング行列は
【数１３０】
2018530937.tif 000588
と表され、
【数１３１】
2018530937.tif 000589
、
【数１３２】
2018530937.tif 000590
、k＝0，．．．，K，k’＝f（k）であり、
【数１３３】
2018530937.tif 000591
はクロネッカー積を表し、
【数１３４】
2018530937.tif 000592
は、ダブルコードブック構造をとる、アンテナポート数がXである前記アンテナの水平方向にある前記X1個のアンテナポートの、第1のプリコーディング行列に相当し、
【数１３５】
2018530937.tif 000593
は、前記ダブルコードブック構造をとる前記X1個のアンテナポートの前記第1のプリコーディング行列で対角位置にある行列に相当し、
【数１３６】
2018530937.tif 000594
はビームグループに相当し、各ビームはDFTベクトルに相当し、
【数１３７】
2018530937.tif 000595
は少なくとも2つの列ベクトルを含む集合であり、
【数１３８】
2018530937.tif 000596
の各列ベクトルはDFTベクトルであり、
【数１３９】
2018530937.tif 000597
の各列ベクトルの次元はX1／2であり、Kは前記水平方向にある前記X1個のアンテナポートに対応するビームグループの合計数であり、
【数１４０】
2018530937.tif 000598
は前記水平方向にある前記X1個のアンテナポートに対応するビームグループにおけるベクトルの数であり、
【数１４１】
2018530937.tif 000599
は、前記ダブルコードブック構造をとる、アンテナポート数がXである前記アンテナの前記水平方向にある前記X1個のアンテナポートの、第2のプリコーディング行列に相当し、
【数１４２】
2018530937.tif 000600
はX1個の行を次元に含む行列であって、
【数１４３】
2018530937.tif 000601
で列選択および／または相調整を遂行するために使われ、
前記第1の構成情報は第1の副構成情報と第2の副構成情報とを含み、前記第1の副構成情報は
【数１４４】
2018530937.tif 000602
に対応するコードブックサブセット制限の構成情報であり、前記第2の副構成情報は
【数１４５】
2018530937.tif 000603
に対応するコードブックサブセット制限の構成情報であり、あるいは
前記第1の構成情報は
【数１４６】
2018530937.tif 000604
に対応するコードブックサブセット制限の構成情報である、
請求項28に記載のUE。
【請求項３７】
前記第1の副構成情報は上位レイヤーシグナリングを用いて送信され、前記第2の副構成情報はダイナミックシグナリングを用いて送信され、あるいは
前記第1の副構成情報はダイナミックシグナリングを用いて送信され、前記第2の副構成情報は上位レイヤーシグナリングを用いて送信される、請求項36に記載のUE。
【請求項３８】
アンテナポート数がX2であるコードブック内のプリコーディング行列は
【数１４７】
2018530937.tif 000605
と表され、
【数１４８】
2018530937.tif 000606
、
【数１４９】
2018530937.tif 000607
、l＝0，．．．，L，l’＝f（l）であり、
【数１５０】
2018530937.tif 000608
はクロネッカー積を表し、
【数１５１】
2018530937.tif 000609
は、ダブルコードブック構造をとる、アンテナポート数がXである前記アンテナの垂直方向にある前記X2個のアンテナポートの、第1のプリコーディング行列に相当し、
【数１５２】
2018530937.tif 000610
は、前記ダブルコードブック構造をとる、前記X2個のアンテナポートの前記第1のプリコーディング行列で対角位置にある行列に相当し、
【数１５３】
2018530937.tif 000611
はビームグループに相当し、各ビームはDFTベクトルに相当し、
【数１５４】
2018530937.tif 000612
は少なくとも2つの列ベクトルを含む集合であり、
【数１５５】
2018530937.tif 000613
の各列ベクトルはDFTベクトルであり、
【数１５６】
2018530937.tif 000614
の各列ベクトルの次元はX2／2であり、Lは前記垂直方向にある前記X2個のアンテナポートに対応するビームグループの合計数であり、
【数１５７】
2018530937.tif 000615
は前記垂直方向にある前記X2個のアンテナポートに対応するビームグループにおけるベクトルの数であり、
【数１５８】
2018530937.tif 000616
は、前記ダブルコードブック構造をとる、アンテナポート数がXである前記アンテナの前記垂直方向にある前記X2個のアンテナポートの、第2のプリコーディング行列に相当し、
【数１５９】
2018530937.tif 000617
はX2個の行を次元に含む行列であって、
【数１６０】
2018530937.tif 000618
で列選択および／または相調整を遂行するために使われ、
前記第2の構成情報は第3の副構成情報と第4の副構成情報とを含み、前記第3の副構成情報は
【数１６１】
2018530937.tif 000619
に対応するコードブックサブセット制限の構成情報であり、前記第4の副構成情報は
【数１６２】
2018530937.tif 000620
に対応するコードブックサブセット制限の構成情報であり、あるいは
前記第2の構成情報は
【数１６３】
2018530937.tif 000621
に対応するコードブックサブセット制限の構成情報である、
請求項28または36に記載のUE。
【請求項３９】
前記第3の副構成情報は上位レイヤーシグナリングを用いて送信され、前記第4の副構成情報はダイナミックシグナリングを用いて送信され、あるいは
前記第3の副構成情報はダイナミックシグナリングを用いて送信され、前記第4の副構成情報は上位レイヤーシグナリングを用いて送信される、請求項38に記載のUE。
【請求項４０】
アンテナポート数がXである前記アンテナは少なくとも2つの行と2つの列とを有するアンテナアレーである、請求項27または33に記載のUE。
【請求項４１】
アンテナポート数がXである前記アンテナは少なくとも2つの行と2つの列とを有するアンテナアレーであり、前記X1個のアンテナポートは同じ水平次元にあり、前記X2個のアンテナポートは同じ垂直次元にある、請求項28から32または36から39のいずれか一項に記載のUE。
【請求項４２】
アンテナポート数がXである前記アンテナは少なくとも2つの行と2つの列とを有するアンテナアレーであり、X1はアンテナポート数がXである前記アンテナの列数であり、X2はアンテナポート数がXである前記アンテナの行数であり、あるいはX1はアンテナポート数がXである前記アンテナの列数の半分であり、X2はアンテナポート数がXである前記アンテナの行数であり、あるいはX1はアンテナポート数がXである前記アンテナの列数であり、X2はアンテナポート数がXである前記アンテナの行数の半分である、請求項28から32または36から39のいずれか一項に記載のUE。
【請求項４３】
前記第1の構成情報はアンテナポート数がXである前記コードブック内の前記全プリコーディング行列が区分けされた後に得られるコードブック区分のイネーブリング制限情報であり、アンテナポート数がXである前記コードブック内の前記全プリコーディング行列の区分けはあらかじめ規定され、
前記第2の構成情報は各コードブック区分にあるプリコーディング行列のイネーブリング制限情報である、請求項27に記載のUE。
【請求項４４】
前記第1の構成情報はアンテナポート数がX1であるコードブック内の全プリコーディング行列が区分けされた後に得られるコードブック区分のイネーブリング制限情報であり、アンテナポート数がX1である前記コードブック内の前記全プリコーディング行列の区分けはあらかじめ規定され、前記第2の構成情報は各コードブック区分にあるプリコーディング行列のイネーブリング制限情報であり、あるいは
前記第1の構成情報はアンテナポート数がX2であるコードブック内の全プリコーディング行列が区分けされた後に得られるコードブック区分のイネーブリング制限情報であり、アンテナポート数がX2である前記コードブック内の前記全プリコーディング行列の区分けはあらかじめ規定され、前記第2の構成情報は各コードブック区分にあるプリコーディング行列のイネーブリング制限情報である、請求項28から32のいずれか一項に記載のUE。
【請求項４５】
前記第1の構成情報と前記第2の構成情報はいずれも上位レイヤーシグナリングを用いて送信され、あるいは
前記第1の構成情報は上位レイヤーシグナリングを用いて送信され、前記第2の構成情報はダイナミックシグナリングを用いて送信され、あるいは
前記第1の構成情報はダイナミックシグナリングを用いて送信され、前記第2の構成情報は上位レイヤーシグナリングを用いて送信される、請求項43または44に記載のUE。
【請求項４６】
前記第1の構成情報はアンテナポート数X3のコードブックサブセット制限の構成情報であり、前記第2の構成情報はアンテナポート数X4のコードブックサブセット制限の構成情報であり、X＝X3＋X4であり、X3＝X4であり、前記X3個のアンテナポートと前記X4個のアンテナポートは異なる偏波方向に対応している、請求項27に記載のUE。
【請求項４７】
前記第1の構成情報はX5個のアンテナポートのコードブックサブセット制限の構成情報であり、前記第2の構成情報はX6個のアンテナポートのコードブックサブセット制限の構成情報であり、X1＝X5＋X6であり、X5＝X6であり、前記X5個のアンテナポートと前記X6個のアンテナポートは異なる偏波方向に対応しており、あるいは
前記第1の構成情報はX7個のアンテナポートのコードブックサブセット制限の構成情報であり、前記第2の構成情報はX8個のアンテナポートのコードブックサブセット制限の構成情報であり、X2＝X7＋X8であり、X7＝X8であり、前記X7個のアンテナポートと前記X8個のアンテナポートは異なる偏波方向に対応している、請求項28から32のいずれか一項に記載のUE。
【請求項４８】
アンテナポート数がXである前記コードブックに含まれるプリコーディング行列はW＝W1（k，l）＊W2＊W3と表されてよく、
【数１６４】
2018530937.tif 000622
または
【数１６５】
2018530937.tif 000623
であり、
【数１６６】
2018530937.tif 000624
、l＝0，．．．，L，l’＝f（l）、
【数１６７】
2018530937.tif 000625
、k＝0，．．．，K，k’＝f（k）であり、
【数１６８】
2018530937.tif 000626
はクロネッカー積を表し、
【数１６９】
2018530937.tif 000627
は水平方向にあるプリコーディング行列に相当し、
【数１７０】
2018530937.tif 000628
はビームグループに相当し、
【数１７１】
2018530937.tif 000629
は少なくとも2つの列ベクトルを含む集合であり、
【数１７２】
2018530937.tif 000630
の各列ベクトルはDFTベクトルであり、
【数１７３】
2018530937.tif 000631
の各列ベクトルの次元は前記水平方向にある共偏波アンテナの数であり、Kは前記水平方向にあるビームグループの数であり、
【数１７４】
2018530937.tif 000632
は前記水平方向にあるビームグループにおけるベクトルの数であり、
【数１７５】
2018530937.tif 000633
はW1で垂直方向にあるプリコーディング行列に相当し、
【数１７６】
2018530937.tif 000634
はビームグループに相当し、
【数１７７】
2018530937.tif 000635
は少なくとも2つの列ベクトルを含む集合であり、
【数１７８】
2018530937.tif 000636
の各列ベクトルはDFTベクトルであり、
【数１７９】
2018530937.tif 000637
の各列ベクトルの次元は前記垂直方向にある共偏波アンテナの数であり、Lは前記垂直方向にあるビームグループの数であり、
【数１８０】
2018530937.tif 000638
は前記垂直方向にあるビームグループにおけるベクトルの数であり、W2はX個の行を次元に含む列選択行列であって、W1（k，l）で列選択を遂行するために使われ、W3は相調整行列であり、W3は2アンテナグループ間で相調整を遂行するために使われ、
前記第1の構成情報はW1（k，l）に対応するコードブックサブセット制限の構成情報であり、前記第2の構成情報はW2に対応するコードブックサブセット制限の構成情報とW3に対応するコードブックサブセット制限の構成情報であり、あるいは
前記第1の構成情報は第5の副構成情報と第6の副構成情報とを含み、前記第5の副構成情報は
【数１８１】
2018530937.tif 000639
に対応するコードブックサブセット制限の構成情報であり、前記第6の副構成情報は
【数１８２】
2018530937.tif 000640
に対応するコードブックサブセット制限の構成情報であり、前記第2の構成情報はW2に対応するコードブックサブセット制限の構成情報とW3に対応するコードブックサブセット制限の構成情報である、
請求項27に記載のUE。
【請求項４９】
アンテナポート数がXである前記アンテナの前記参照信号が周期的に送信される参照信号である場合、前記判断モジュールは、チャネル測定とフィードバックを行うべき、アンテナポートの前記プリコーディング行列を前記第1の構成情報を用いて判断するよう具体的に構成され、あるいは
アンテナポート数がXである前記アンテナの前記参照信号が周期的に送信されない参照信号である場合、前記判断モジュールは、チャネル測定とフィードバックを行うべき、アンテナポートの前記プリコーディング行列を前記第2の構成情報を用いて判断するよう具体的に構成される、請求項27に記載のUE。
【請求項５０】
前記第1の構成情報と前記第2の構成情報はいずれも上位レイヤーシグナリングを用いて送信され、あるいは
前記第1の構成情報は上位レイヤーシグナリングを用いて送信され、前記第2の構成情報はダイナミックシグナリングを用いて送信され、あるいは
前記第1の構成情報はダイナミックシグナリングを用いて送信され、前記第2の構成情報は上位レイヤーシグナリングを用いて送信される、
請求項49に記載のUE。
【請求項５１】
前記参照信号はチャネル状態情報参照信号CSI−RSである、請求項27に記載のUE。
【請求項５２】
前記ダイナミックシグナリングはDL grantシグナリングであり、あるいはUL grantシグナリングである、請求項34、35、37、39、45、49、または50のいずれか一項に記載のUE。
【請求項５３】
プロセッサと、メモリーと、通信インターフェースと、システムバスとを含むユーザー機器UEであって、前記メモリーと前記通信インターフェースと前記プロセッサは前記システムバスを用いて互いに接続されて通信し、前記メモリーはコンピュータ実行命令を記憶するよう構成され、前記通信インターフェースは他の装置と通信するよう構成され、前記プロセッサは前記コンピュータ実行命令を実行するよう構成され、これにより前記UEは請求項1から26のいずれか一項に記載された方法を遂行する、ユーザー機器UE。
【発明の詳細な説明】
【技術分野】
【０００１】
本発明は通信技術に関し、具体的にはコードブック構成方法およびユーザー機器に関する。
【背景技術】
【０００２】
ロングタームエボリューション（Long Term Evolution、略してLTE）の下りリンク（Down Link、略してDL）は多入力多出力（Multiple−Input Multiple−Output、略してMIMO）技術をサポートする。イボルブドノードB（eleved Node B、略してeNB）はプリコーディング法を用いてビーム形成ゲインと空間多重化ゲインを得る。周波数分割二重（Frequency Division Duplexing、略してFDD）モードでeNBは上りリンク（Up Link、略してUL）チャネルを用いてDLのチャネル情報を推定できないため、ユーザー機器（User Equipment、略してUE）がDLのチャネル情報を報告する。UEは最も適切なプリコーディング行列指示（Precoding Matrix Indicator、略してPMI）とランク指示（rank indication、略してRI）とを用いてDLのチャネル情報をeNBに報告する。PMIはUEによって要求されるプリコーディング行列の値を示し、RIはUEによって判断される現在のチャネル状態で同時に伝送できる信号の最大レイヤー数を示す。ただし、eNBはUEによって選択されるプリコーディング行列とランクを承諾できない場合がある。例えば、eNBは近傍のセルに多大な干渉を引き起こすプリコーディング行列やランクを回避する必要がある。UEによってフィードバックされるPMIとRIを制限するため、LTE Rel＿8およびRel＿9にはコードブックサブセット制限技術が導入されている。コードブックサブセット制限技術は、上位レイヤーシグナリングを用いて各UEへコードブックサブセット制限（codebook subset restriction、略してCSR）ビットマップを送信するために使われる。CSRビットマップの各ビットはプリコーディング行列に対応しており、ビットの値は0および1である。ビットが0に設定される場合、該ビットに対応するプリコーディング行列は制限され、UEは該ビットに対応する該プリコーディング行列を測定したりフィードバックしたりする必要がない。
【０００３】
従来の二次元（2D）MIMOシステムでは一次元アンテナが使われており、一次元アンテナは水平方向にビーム形成を遂行できる。アンテナ性能を高めるため、二次元アンテナが現在導入されている。二次元アンテナは水平方向と垂直方向の両方でビーム形成を遂行できる。先行技術では二次元アンテナのためのコードブック構成とフィードバック機構が規定されてない。
【発明の概要】
【課題を解決するための手段】
【０００４】
本発明の実施形態は、二次元アンテナでコードブック構成を遂行し、コードブックサブセット制限の構成情報のフィードバックオーバーヘッドを減らすため、コードブック構成方法およびユーザー機器を提供する。
【０００５】
本発明の第1の態様はコードブック構成方法を提供し、該コードブック構成方法は、
基地局によって送信される、アンテナポート数がXであるアンテナの参照信号と、アンテナポート数Xのコードブックサブセット制限の構成情報とを、ユーザー機器UEにより受信するステップであって、アンテナポート数Xのコードブックサブセット制限の構成情報は第1の構成情報と第2の構成情報とを含み、Xは2以上の正の整数である、該ステップと、
アンテナポート数Xのコードブックサブセット制限の構成情報に基づいて、チャネル測定とフィードバックを行うべきプリコーディング行列をUEにより判断するステップであって、アンテナポート数Xのコードブックサブセット制限は、測定とフィードバックのため、アンテナポート数がXであるコードブック内の全プリコーディング行列からいくつかのプリコーディング行列を選択することをUEに命じるために使われる、該ステップと、
アンテナポート数がXであるアンテナの参照信号に基づく測定により、チャネル測定とフィードバックを行うべきプリコーディング行列をUEにより求めるステップと
を含む。
【０００６】
第1の態様を参照し、第1の態様の第1の可能な実装において、第1の構成情報はアンテナポート数X1のコードブックサブセット制限の構成情報であり、第2の構成はアンテナポート数X2のコードブックサブセット制限の構成情報であり、X＝X1×X2である。
【０００７】
第1の態様を参照し、第1の態様の第2の可能な実装において、第1の構成情報はアンテナポート数X1のコードブックサブセット制限の構成情報であり、第2の構成はアンテナポート数X2のコードブックサブセット制限の構成情報であり、X＝X1×X2×2である。
【０００８】
第1の態様の第1または第2の可能な実装を参照し、第1の態様の第3の可能な実装において、UEにより、アンテナポート数Xのコードブックサブセット制限の構成情報に基づいて、チャネル測定とフィードバックを行うべきプリコーディング行列を判断するステップは、
チャネル測定とフィードバックを行うべき、アンテナポートのプリコーディング行列を求めるため、UEにより、アンテナポート数がX1であるプリコーディング行列とアンテナポート数がX2であるプリコーディング行列とでクロネッカー積を遂行するステップ
を含む。
【０００９】
第1の態様の第3の可能な実装を参照し、第1の態様の第4の可能な実装において、チャネル測定とフィードバックを行うべき、アンテナポートのプリコーディング行列を求めるため、UEにより、アンテナポート数がX1であるプリコーディング行列とアンテナポート数がX2であるプリコーディング行列とでクロネッカー積を遂行するステップは、
アンテナポート数がXであるプリコーディング行列のW1を求めるため、UEにより、アンテナポート数がX1であるプリコーディング行列とアンテナポート数がX2であるプリコーディング行列とでクロネッカー積を遂行するステップと、
UEにより、式W＝W1＊W2に従い、チャネル測定とフィードバックを行うべき、アンテナポートのプリコーディング行列を求めるステップであって、W2はX個の行を次元に含む行列であって、W1で列選択および／または相調整を遂行するために使われる、該ステップと
を含む。
【００１０】
第1の態様の第4の可能な実装を参照し、第1の態様の第5の可能な実装において、
【数１】
2018530937.tif 000003
または
【数２】
2018530937.tif 000004
であり、
【数３】
2018530937.tif 000005
、l＝0，．．．，L，l’＝f（l）、
【数４】
2018530937.tif 000006
、k＝0，．．．，K，k’＝f（k）であり、
【数５】
2018530937.tif 000007
はクロネッカー積を表し、
【数６】
2018530937.tif 000008
はW1で水平方向にあるプリコーディング行列に相当し、
【数７】
2018530937.tif 000009
はビームグループに相当し、
【数８】
2018530937.tif 000010
は少なくとも2つの列ベクトルを含む集合であり、
【数９】
2018530937.tif 000011
の各列ベクトルはDFTベクトルであり、
【数１０】
2018530937.tif 000012
の各列ベクトルの次元は水平方向にある共偏波アンテナの数であり、Kは水平方向にあるビームグループの数であり、
【数１１】
2018530937.tif 000013
は水平方向にあるビームグループにおけるベクトルの数であり、
【数１２】
2018530937.tif 000014
はW1で垂直方向にあるプリコーディング行列に相当し、
【数１３】
2018530937.tif 000015
はビームグループに相当し、
【数１４】
2018530937.tif 000016
は少なくとも2つの列ベクトルを含む集合であり、
【数１５】
2018530937.tif 000017
の各列ベクトルはDFTベクトルであり、
【数１６】
2018530937.tif 000018
の各列ベクトルの次元は垂直方向にある共偏波アンテナの数であり、Lは垂直方向にあるビームグループの数であり、
【数１７】
2018530937.tif 000019
は垂直方向にあるビームグループにおけるベクトルの数であり、
第1の構成情報は
【数１８】
2018530937.tif 000020
に対応するコードブックサブセット制限の構成情報であり、第2の構成情報は
【数１９】
2018530937.tif 000021
に対応するコードブックサブセット制限の構成情報である。
【００１１】
第1の態様を参照し、第1の態様の第6の可能な実装において、アンテナポート数がXであるコードブックに含まれるプリコーディング行列はW＝W1（k，l）＊W2と表され、
【数２０】
2018530937.tif 000022
または
【数２１】
2018530937.tif 000023
であり、
【数２２】
2018530937.tif 000024
、l＝0，．．．，L，l’＝f（l）、
【数２３】
2018530937.tif 000025
、k＝0，．．．，K，k’＝f（k）であり、
【数２４】
2018530937.tif 000026
はクロネッカー積を表し、
【数２５】
2018530937.tif 000027
は水平方向にあるプリコーディング行列に相当し、
【数２６】
2018530937.tif 000028
はビームグループに相当し、
【数２７】
2018530937.tif 000029
は少なくとも2つの列ベクトルを含む集合であり、
【数２８】
2018530937.tif 000030
の各列ベクトルはDFTベクトルであり、
【数２９】
2018530937.tif 000031
の各列ベクトルの次元は水平方向にある共偏波アンテナの数であり、Kは水平方向にあるビームグループの数であり、
【数３０】
2018530937.tif 000032
は水平方向にあるビームグループにおけるベクトルの数であり、
【数３１】
2018530937.tif 000033
は垂直方向にあるプリコーディング行列に相当し、
【数３２】
2018530937.tif 000034
はビームグループに相当し、
【数３３】
2018530937.tif 000035
は少なくとも2つの列ベクトルを含む集合であり、
【数３４】
2018530937.tif 000036
の各列ベクトルはDFTベクトルであり、
【数３５】
2018530937.tif 000037
の各列ベクトルの次元は垂直方向にある共偏波アンテナの数であり、Lは垂直方向にあるビームグループの数であり、
【数３６】
2018530937.tif 000038
は垂直方向にあるビームグループにおけるベクトルの数であり、W2はX個の行を次元に含む行列であって、W1（k，l）で列選択および／または相調整を遂行するために使われ、
第1の構成情報はW1（k，l）に対応するコードブックサブセット制限の構成情報であり、第2の構成情報はW2に対応するコードブックサブセット制限の構成情報であり、あるいは
第1の構成情報は第5の副構成情報と第6の副構成情報とを含み、第5の副構成情報は
【数３７】
2018530937.tif 000039
に対応するコードブックサブセット制限の構成情報であり、第6の副構成情報は
【数３８】
2018530937.tif 000040
に対応するコードブックサブセット制限の構成情報であり、第2の構成情報はW2に対応するコードブックサブセット制限の構成情報である。
【００１２】
第1の態様、または第1の態様の第1から第6の可能な実装のいずれか1つを参照し、第1の態様の第7の可能な実装において、第1の構成情報と第2の構成情報はいずれも上位レイヤーシグナリングを用いて送信され、あるいは
第1の構成情報は上位レイヤーシグナリングを用いて送信され、第2の構成情報はダイナミックシグナリングを用いて送信され、あるいは
第1の構成情報と第2の構成情報はいずれも上位レイヤーシグナリングを用いて送信される。
【００１３】
第1の態様の第1から第6の可能な実装のいずれか1つを参照し、第1の態様の第8の可能な実装において、X1とX2でアンテナポート数が多い方のアンテナポートのコードブックサブセット制限の構成情報はダイナミックシグナリングを用いて構成され、X1とX2でアンテナポート数が少ない方のアンテナポートのコードブックサブセット制限の構成情報は上位レイヤーシグナリングを用いて構成され、あるいは
X1とX2でアンテナポート数が多い方のアンテナポートのコードブックサブセット制限の構成情報は上位レイヤーシグナリングを用いて構成され、X1とX2でアンテナポート数が少ない方のアンテナポートのコードブックサブセット制限の構成情報はダイナミックシグナリングを用いて構成される。
【００１４】
第1の態様の第1の可能な実装を参照し、第1の態様の第9の可能な実装において、アンテナポート数がX1であるコードブック内のプリコーディング行列は
【数３９】
2018530937.tif 000041
と表され、
【数４０】
2018530937.tif 000042
、
【数４１】
2018530937.tif 000043
、k＝0，．．．，K，k’＝f（k）であり、
【数４２】
2018530937.tif 000044
はクロネッカー積を表し、
【数４３】
2018530937.tif 000045
は、ダブルコードブック構造をとる、アンテナポート数がXであるアンテナの水平方向にあるX1個のアンテナポートの、第1のプリコーディング行列に相当し、
【数４４】
2018530937.tif 000046
は、ダブルコードブック構造をとるX1個のアンテナポートの第1のプリコーディング行列で対角位置にある行列に相当し、
【数４５】
2018530937.tif 000047
はビームグループに相当し、各ビームはDFTベクトルに相当し、
【数４６】
2018530937.tif 000048
は少なくとも2つの列ベクトルを含む集合であり、
【数４７】
2018530937.tif 000049
の各列ベクトルはDFTベクトルであり、
【数４８】
2018530937.tif 000050
の各列ベクトルの次元はX1／2であり、Kは水平方向にあるX1個のアンテナポートに対応するビームグループの合計数であり、
【数４９】
2018530937.tif 000051
は水平方向にあるX1個のアンテナポートに対応するビームグループにおけるベクトルの数であり、
【数５０】
2018530937.tif 000052
は、ダブルコードブック構造をとる、アンテナポート数がXであるアンテナの水平方向にあるX1個のアンテナポートの、第2のプリコーディング行列に相当し、
【数５１】
2018530937.tif 000053
はX1個の行を次元に含む行列であって、
【数５２】
2018530937.tif 000054
で列選択および／または相調整を遂行するために使われ、
第1の構成情報は第1の副構成情報と第2の副構成情報とを含み、第1の副構成情報は
【数５３】
2018530937.tif 000055
に対応するコードブックサブセット制限の構成情報であり、第2の副構成情報は
【数５４】
2018530937.tif 000056
に対応するコードブックサブセット制限の構成情報であり、あるいは
第1の構成情報は
【数５５】
2018530937.tif 000057
に対応するコードブックサブセット制限の構成情報である。
【００１５】
第1の態様の第9の可能な実装を参照し、第1の態様の第10の可能な実装において、第1の副構成情報は上位レイヤーシグナリングを用いて送信され、第2の副構成情報はダイナミックシグナリングを用いて送信され、あるいは
第1の副構成情報はダイナミックシグナリングを用いて送信され、第2の副構成情報は上位レイヤーシグナリングを用いて送信される。
【００１６】
第1の態様の第1の可能な実装、または第1の態様の第9の可能な実装を参照し、第1の態様の第11の可能な実装において、アンテナポート数がX2であるコードブック内のプリコーディング行列は
【数５６】
2018530937.tif 000058
と表され、
【数５７】
2018530937.tif 000059
、
【数５８】
2018530937.tif 000060
、l＝0，．．．，L，l’＝f（l）であり、
【数５９】
2018530937.tif 000061
はクロネッカー積を表し、
【数６０】
2018530937.tif 000062
は、ダブルコードブック構造をとる、アンテナポート数がXであるアンテナの垂直方向にあるX2個のアンテナポートの、第1のプリコーディング行列に相当し、
【数６１】
2018530937.tif 000063
は、ダブルコードブック構造をとる、X2個のアンテナポートの第1のプリコーディング行列で対角位置にある行列に相当し、
【数６２】
2018530937.tif 000064
はビームグループに相当し、各ビームはDFTベクトルに相当し、
【数６３】
2018530937.tif 000065
は少なくとも2つの列ベクトルを含む集合であり、
【数６４】
2018530937.tif 000066
の各列ベクトルはDFTベクトルであり、
【数６５】
2018530937.tif 000067
の各列ベクトルの次元はX2／2であり、Lは垂直方向にあるX2個のアンテナポートに対応するビームグループの合計数であり、
【数６６】
2018530937.tif 000068
は垂直方向にあるX2個のアンテナポートに対応するビームグループにおけるベクトルの数であり、
【数６７】
2018530937.tif 000069
は、ダブルコードブック構造をとる、アンテナポート数がXであるアンテナの垂直方向にあるX2個のアンテナポートの、第2のプリコーディング行列に相当し、
【数６８】
2018530937.tif 000070
はX2個の行を次元に含む行列であって、
【数６９】
2018530937.tif 000071
で列選択および／または相調整を遂行するために使われ、
第2の構成情報は第3の副構成情報と第4の副構成情報とを含み、第3の副構成情報は
【数７０】
2018530937.tif 000072
に対応するコードブックサブセット制限の構成情報であり、第4の副構成情報は
【数７１】
2018530937.tif 000073
に対応するコードブックサブセット制限の構成情報であり、あるいは
第2の構成情報は
【数７２】
2018530937.tif 000074
に対応するコードブックサブセット制限の構成情報である。
【００１７】
第1の態様の第11の可能な実装を参照し、第1の態様の第12の可能な実装において、第3の副構成情報は上位レイヤーシグナリングを用いて送信され、第4の副構成情報はダイナミックシグナリングを用いて送信され、あるいは
第3の副構成情報はダイナミックシグナリングを用いて送信され、第4の副構成情報は上位レイヤーシグナリングを用いて送信される。
【００１８】
第1の態様、または第1の態様の第6の可能な実装を参照し、第1の態様の第13の可能な実装において、アンテナポート数がXであるアンテナは少なくとも2つの行と2つの列とを有するアンテナアレーである。
【００１９】
第1の態様の第1から第5の可能な実装、または第9から第12の可能な実装のいずれか1つを参照し、第1の態様の第14の可能な実装において、アンテナポート数がXであるアンテナは少なくとも2つの行と2つの列とを有するアンテナアレーであり、X1個のアンテナポートは同じ水平次元にあり、X2個のアンテナポートは同じ垂直次元にある。
【００２０】
第1の態様の第1から第5の可能な実装、または第9から第12の可能な実装のいずれか1つを参照し、第1の態様の第15の可能な実装において、アンテナポート数がXであるアンテナは少なくとも2つの行と2つの列とを有するアンテナアレーであり、X1はアンテナポート数がXであるアンテナの列数であり、X2はアンテナポート数がXであるアンテナの行数であり、あるいはX1はアンテナポート数がXであるアンテナの列数の半分であり、X2はアンテナポート数がXであるアンテナの行数であり、あるいはX1はアンテナポート数がXであるアンテナの列数であり、X2はアンテナポート数がXであるアンテナの行数の半分である。
【００２１】
第1の態様を参照し、第1の態様の第16の可能な実装において、第1の構成情報はアンテナポート数がXであるコードブック内の全プリコーディング行列が区分けされた後に得られるコードブック区分のイネーブリング制限情報であり、アンテナポート数がXであるコードブック内の全プリコーディング行列の区分けはあらかじめ規定され、
第2の構成情報は各コードブック区分にあるプリコーディング行列のイネーブリング制限情報である。
【００２２】
第1の態様の第1から第5の可能な実装のいずれか1つを参照し、第1の態様の第17の可能な実装において、第1の構成情報はアンテナポート数がX1であるコードブック内の全プリコーディング行列が区分けされた後に得られるコードブック区分のイネーブリング制限情報であり、アンテナポート数がX1であるコードブック内の全プリコーディング行列の区分けはあらかじめ規定され、第2の構成情報は各コードブック区分にあるプリコーディング行列のイネーブリング制限情報であり、あるいは
第1の構成情報はアンテナポート数がX2であるコードブック内の全プリコーディング行列が区分けされた後に得られるコードブック区分のイネーブリング制限情報であり、アンテナポート数がX2であるコードブック内の全プリコーディング行列の区分けはあらかじめ規定され、第2の構成情報は各コードブック区分にあるプリコーディング行列のイネーブリング制限情報である。
【００２３】
第1の態様の第16または第17の可能な実装を参照し、第1の態様の第18の可能な実装において、第1の構成情報と第2の構成情報はいずれも上位レイヤーシグナリングを用いて送信され、あるいは
第1の構成情報は上位レイヤーシグナリングを用いて送信され、第2の構成情報はダイナミックシグナリングを用いて送信され、あるいは
第1の構成情報はダイナミックシグナリングを用いて送信され、第2の構成情報は上位レイヤーシグナリングを用いて送信される。
【００２４】
第1の態様を参照し、第1の態様の第19の可能な実装において、第1の構成情報はアンテナポート数X3のコードブックサブセット制限の構成情報であり、第2の構成情報はアンテナポート数X4のコードブックサブセット制限の構成情報であり、X＝X3＋X4であり、X3＝X4であり、X3個のアンテナポートとX4個のアンテナポートは異なる偏波方向に対応している。
【００２５】
第1の態様の第1から第5の可能な実装のいずれか1つを参照し、第1の態様の第20の可能な実装において、第1の構成情報はX5個のアンテナポートのコードブックサブセット制限の構成情報であり、第2の構成情報はX6個のアンテナポートのコードブックサブセット制限の構成情報であり、X1＝X5＋X6であり、X5＝X6であり、X5個のアンテナポートとX6個のアンテナポートは異なる偏波方向に対応しており、あるいは
第1の構成情報はX7個のアンテナポートのコードブックサブセット制限の構成情報であり、第2の構成情報はX8個のアンテナポートのコードブックサブセット制限の構成情報であり、X2＝X7＋X8であり、X7＝X8であり、X7個のアンテナポートとX8個のアンテナポートは異なる偏波方向に対応している。
【００２６】
第1の態様を参照し、第1の態様の第21の可能な実装において、アンテナポート数がXであるコードブックに含まれるプリコーディング行列はW＝W1（k，l）＊W2＊W3と表されてよく、
【数７３】
2018530937.tif 000075
または
【数７４】
2018530937.tif 000076
であり、
【数７５】
2018530937.tif 000077
、l＝0，．．．，L，l’＝f（l）、
【数７６】
2018530937.tif 000078
、k＝0，．．．，K，k’＝f（k）であり、
【数７７】
2018530937.tif 000079
はクロネッカー積を表し、
【数７８】
2018530937.tif 000080
は水平方向にあるプリコーディング行列に相当し、
【数７９】
2018530937.tif 000081
はビームグループに相当し、
【数８０】
2018530937.tif 000082
は少なくとも2つの列ベクトルを含む集合であり、
【数８１】
2018530937.tif 000083
の各列ベクトルはDFTベクトルであり、
【数８２】
2018530937.tif 000084
の各列ベクトルの次元は水平方向にある共偏波アンテナの数であり、Kは水平方向にあるビームグループの数であり、
【数８３】
2018530937.tif 000085
は水平方向にあるビームグループにおけるベクトルの数であり、
【数８４】
2018530937.tif 000086
はW1で垂直方向にあるプリコーディング行列に相当し、
【数８５】
2018530937.tif 000087
はビームグループに相当し、
【数８６】
2018530937.tif 000088
は少なくとも2つの列ベクトルを含む集合であり、
【数８７】
2018530937.tif 000089
の各列ベクトルはDFTベクトルであり、
【数８８】
2018530937.tif 000090
の各列ベクトルの次元は垂直方向にある共偏波アンテナの数であり、Lは垂直方向にあるビームグループの数であり、
【数８９】
2018530937.tif 000091
は垂直方向にあるビームグループにおけるベクトルの数であり、W2はX個の行を次元に含む列選択行列であって、W1（k，l）で列選択を遂行するために使われ、W3は相調整行列であり、W3は2アンテナグループ間で相調整を遂行するために使われ、
第1の構成情報はW1（k，l）に対応するコードブックサブセット制限の構成情報であり、第2の構成情報はW2に対応するコードブックサブセット制限の構成情報とW3に対応するコードブックサブセット制限の構成情報であり、あるいは
第1の構成情報は第5の副構成情報と第6の副構成情報とを含み、第5の副構成情報は
【数９０】
2018530937.tif 000092
に対応するコードブックサブセット制限の構成情報であり、第6の副構成情報は
【数９１】
2018530937.tif 000093
に対応するコードブックサブセット制限の構成情報であり、第2の構成情報はW2に対応するコードブックサブセット制限の構成情報とW3に対応するコードブックサブセット制限の構成情報である。
【００２７】
第1の態様を参照し、第1の態様の第22の可能な実装において、アンテナポート数がXであるアンテナの参照信号が周期的に送信される参照信号である場合に、UEにより、アンテナポート数Xのコードブックサブセット制限の構成情報に基づいて、チャネル測定とフィードバックを行うべき、アンテナポートのプリコーディング行列を判断するステップは、
UEにより、チャネル測定とフィードバックを行うべき、アンテナポートのプリコーディング行列を第1の構成情報を用いて判断するステップを含み、あるいは
アンテナポート数がXであるアンテナの参照信号が周期的に送信されない参照信号である場合に、UEにより、アンテナポート数Xのコードブックサブセット制限の構成情報に基づいて、チャネル測定とフィードバックを行うべき、アンテナポートのプリコーディング行列を判断するステップは、
UEにより、チャネル測定とフィードバックを行うべき、アンテナポートのプリコーディング行列を第2の構成情報を用いて判断するステップを含む。
【００２８】
第1の態様を参照し、第1の態様の第23の可能な実装において、第1の構成情報と第2の構成情報はいずれも上位レイヤーシグナリングを用いて送信され、あるいは
第1の構成情報は上位レイヤーシグナリングを用いて送信され、第2の構成情報はダイナミックシグナリングを用いて送信され、あるいは
第1の構成情報はダイナミックシグナリングを用いて送信され、第2の構成情報は上位レイヤーシグナリングを用いて送信される。
【００２９】
第1の態様を参照し、第1の態様の第24の可能な実装において、参照信号はチャネル状態情報参照信号CSI−RSである。
【００３０】
第1の態様の第7、第8、第10、第12、第18、第22、または第23の可能な実装のいずれか1つを参照し、第1の態様の第25の可能な実装において、ダイナミックシグナリングはDL grantシグナリングであり、あるいはUL grantシグナリングである。
【００３１】
本発明の第2の態様はユーザー機器UEを提供し、該UEは、
基地局によって送信される、アンテナポート数がXであるアンテナの参照信号と、アンテナポート数Xのコードブックサブセット制限の構成情報とを受信するよう構成された受信モジュールであって、アンテナポート数Xのコードブックサブセット制限の構成情報は第1の構成情報と第2の構成情報とを含み、Xは2以上の正の整数である、該受信モジュールと、
アンテナポート数Xのコードブックサブセット制限の構成情報に基づいて、チャネル測定とフィードバックを行うべきプリコーディング行列を判断するよう構成された判断モジュールであって、アンテナポート数Xのコードブックサブセット制限は、測定とフィードバックのため、アンテナポート数がXであるコードブック内の全プリコーディング行列からいくつかのプリコーディング行列を選択することをUEに命じるために使われる、該判断モジュールと、
アンテナポート数がXであるアンテナの参照信号に基づく測定により、チャネル測定とフィードバックを行うべきプリコーディング行列を求めるよう構成された測定モジュールとを含む。
【００３２】
第2の態様を参照し、第2の態様の第1の可能な実装において、第1の構成情報はアンテナポート数X1のコードブックサブセット制限の構成情報であり、第2の構成はアンテナポート数X2のコードブックサブセット制限の構成情報であり、X＝X1×X2である。
【００３３】
第2の態様を参照し、第2の態様の第2の可能な実装において、第1の構成情報はアンテナポート数X1のコードブックサブセット制限の構成情報であり、第2の構成はアンテナポート数X2のコードブックサブセット制限の構成情報であり、X＝X1×X2×2である。
【００３４】
第2の態様の第1または第2の可能な実装を参照し、第2の態様の第3の可能な実装において、判断モジュールは、
チャネル測定とフィードバックを行うべき、アンテナポートのプリコーディング行列を求めるため、アンテナポート数がX1であるプリコーディング行列とアンテナポート数がX2であるプリコーディング行列とでクロネッカー積を遂行するよう具体的に構成される。
【００３５】
第2の態様の第3の可能な実装を参照し、第2の態様の第4の可能な実装において、判断モジュールは、
アンテナポート数がXであるプリコーディング行列のW1を求めるため、アンテナポート数がX1であるプリコーディング行列とアンテナポート数がX2であるプリコーディング行列とでクロネッカー積を遂行し、尚且つ
式W＝W1＊W2に従い、チャネル測定とフィードバックを行うべき、アンテナポートのプリコーディング行列を求めるよう具体的に構成され、W2はX個の行を次元に含む行列であって、W1で列選択および／または相調整を遂行するために使われる。
【００３６】
第2の態様の第4の可能な実装を参照し、第2の態様の第5の可能な実装において、
【数９２】
2018530937.tif 000094
または
【数９３】
2018530937.tif 000095
であり、
【数９４】
2018530937.tif 000096
、l＝0，．．．，L，l’＝f（l）、
【数９５】
2018530937.tif 000097
、k＝0，．．．，K，k’＝f（k）であり、
【数９６】
2018530937.tif 000098
はクロネッカー積を表し、
【数９７】
2018530937.tif 000099
はW1で水平方向にあるプリコーディング行列に相当し、
【数９８】
2018530937.tif 000100
はビームグループに相当し、
【数９９】
2018530937.tif 000101
は少なくとも2つの列ベクトルを含む集合であり、
【数１００】
2018530937.tif 000102
の各列ベクトルはDFTベクトルであり、
【数１０１】
2018530937.tif 000103
の各列ベクトルの次元は水平方向にある共偏波アンテナの数であり、Kは水平方向にあるビームグループの数であり、
【数１０２】
2018530937.tif 000104
は水平方向にあるビームグループにおけるベクトルの数であり、
【数１０３】
2018530937.tif 000105
はW1で垂直方向にあるプリコーディング行列に相当し、
【数１０４】
2018530937.tif 000106
はビームグループに相当し、
【数１０５】
2018530937.tif 000107
は少なくとも2つの列ベクトルを含む集合であり、
【数１０６】
2018530937.tif 000108
の各列ベクトルはDFTベクトルであり、
【数１０７】
2018530937.tif 000109
の各列ベクトルの次元は垂直方向にある共偏波アンテナの数であり、Lは垂直方向にあるビームグループの数であり、
【数１０８】
2018530937.tif 000110
は垂直方向にあるビームグループにおけるベクトルの数であり、
第1の構成情報は
【数１０９】
2018530937.tif 000111
に対応するコードブックサブセット制限の構成情報であり、第2の構成情報は
【数１１０】
2018530937.tif 000112
に対応するコードブックサブセット制限の構成情報である。
【００３７】
第2の態様を参照し、第2の態様の第6の可能な実装において、アンテナポート数がXであるコードブックに含まれるプリコーディング行列はW＝W1（k，l）＊W2と表され、
【数１１１】
2018530937.tif 000113
または
【数１１２】
2018530937.tif 000114
であり、
【数１１３】
2018530937.tif 000115
、l＝0，．．．，L，l’＝f（l）、
【数１１４】
2018530937.tif 000116
、k＝0，．．．，K，k’＝f（k）であり、
【数１１５】
2018530937.tif 000117
はクロネッカー積を表し、
【数１１６】
2018530937.tif 000118
は水平方向にあるプリコーディング行列に相当し、
【数１１７】
2018530937.tif 000119
はビームグループに相当し、
【数１１８】
2018530937.tif 000120
は少なくとも2つの列ベクトルを含む集合であり、
【数１１９】
2018530937.tif 000121
の各列ベクトルはDFTベクトルであり、
【数１２０】
2018530937.tif 000122
の各列ベクトルの次元は水平方向にある共偏波アンテナの数であり、Kは水平方向にあるビームグループの数であり、
【数１２１】
2018530937.tif 000123
は水平方向にあるビームグループにおけるベクトルの数であり、
【数１２２】
2018530937.tif 000124
は垂直方向にあるプリコーディング行列に相当し、
【数１２３】
2018530937.tif 000125
はビームグループに相当し、
【数１２４】
2018530937.tif 000126
は少なくとも2つの列ベクトルを含む集合であり、
【数１２５】
2018530937.tif 000127
の各列ベクトルはDFTベクトルであり、
【数１２６】
2018530937.tif 000128
の各列ベクトルの次元は垂直方向にある共偏波アンテナの数であり、Lは垂直方向にあるビームグループの数であり、
【数１２７】
2018530937.tif 000129
は垂直方向にあるビームグループにおけるベクトルの数であり、W2はX個の行を次元に含む行列であって、W1（k，l）で列選択および／または相調整を遂行するために使われ、
第1の構成情報はW1（k，l）に対応するコードブックサブセット制限の構成情報であり、第2の構成情報はW2に対応するコードブックサブセット制限の構成情報であり、あるいは
第1の構成情報は第5の副構成情報と第6の副構成情報とを含み、第5の副構成情報は
【数１２８】
2018530937.tif 000130
に対応するコードブックサブセット制限の構成情報であり、第6の副構成情報は
【数１２９】
2018530937.tif 000131
に対応するコードブックサブセット制限の構成情報であり、第2の構成情報はW2に対応するコードブックサブセット制限の構成情報である。
【００３８】
第2の態様、または第2の態様の第1から第6の可能な実装を参照し、第2の態様の第7の可能な実装において、第1の構成情報と第2の構成情報はいずれも上位レイヤーシグナリングを用いて送信され、あるいは
第1の構成情報は上位レイヤーシグナリングを用いて送信され、第2の構成情報はダイナミックシグナリングを用いて送信され、あるいは
第1の構成情報と第2の構成情報はいずれも上位レイヤーシグナリングを用いて送信される。
【００３９】
第2の態様の第1から第6の可能な実装のいずれか1つを参照し、第2の態様の第8の可能な実装において、X1とX2でアンテナポート数が多い方のアンテナポートのコードブックサブセット制限の構成情報はダイナミックシグナリングを用いて構成され、X1とX2でアンテナポート数が少ない方のアンテナポートのコードブックサブセット制限の構成情報は上位レイヤーシグナリングを用いて構成され、あるいは
X1とX2でアンテナポート数が多い方のアンテナポートのコードブックサブセット制限の構成情報は上位レイヤーシグナリングを用いて構成され、X1とX2でアンテナポート数が少ない方のアンテナポートのコードブックサブセット制限の構成情報はダイナミックシグナリングを用いて構成される。
【００４０】
第2の態様の第1の可能な実装を参照し、第2の態様の第9の可能な実装において、アンテナポート数がX1であるコードブック内のプリコーディング行列は
【数１３０】
2018530937.tif 000132
と表され、
【数１３１】
2018530937.tif 000133
、
【数１３２】
2018530937.tif 000134
、k＝0，．．．，K，k’＝f（k）であり、
【数１３３】
2018530937.tif 000135
はクロネッカー積を表し、
【数１３４】
2018530937.tif 000136
は、ダブルコードブック構造をとる、アンテナポート数がXであるアンテナの水平方向にあるX1個のアンテナポートの、第1のプリコーディング行列に相当し、
【数１３５】
2018530937.tif 000137
は、ダブルコードブック構造をとるX1個のアンテナポートの第1のプリコーディング行列で対角位置にある行列に相当し、
【数１３６】
2018530937.tif 000138
はビームグループに相当し、各ビームはDFTベクトルに相当し、
【数１３７】
2018530937.tif 000139
は少なくとも2つの列ベクトルを含む集合であり、
【数１３８】
2018530937.tif 000140
の各列ベクトルはDFTベクトルであり、
【数１３９】
2018530937.tif 000141
の各列ベクトルの次元はX1／2であり、Kは水平方向にあるX1個のアンテナポートに対応するビームグループの合計数であり、
【数１４０】
2018530937.tif 000142
は水平方向にあるX1個のアンテナポートに対応するビームグループにおけるベクトルの数であり、
【数１４１】
2018530937.tif 000143
は、ダブルコードブック構造をとる、アンテナポート数がXであるアンテナの水平方向にあるX1個のアンテナポートの、第2のプリコーディング行列に相当し、
【数１４２】
2018530937.tif 000144
はX1個の行を次元に含む行列であって、
【数１４３】
2018530937.tif 000145
で列選択および／または相調整を遂行するために使われ、
第1の構成情報は第1の副構成情報と第2の副構成情報とを含み、第1の副構成情報は
【数１４４】
2018530937.tif 000146
に対応するコードブックサブセット制限の構成情報であり、第2の副構成情報は
【数１４５】
2018530937.tif 000147
に対応するコードブックサブセット制限の構成情報であり、あるいは
第1の構成情報は
【数１４６】
2018530937.tif 000148
に対応するコードブックサブセット制限の構成情報である。
【００４１】
第2の態様の第9の可能な実装を参照し、第2の態様の第10の可能な実装において、第1の副構成情報は上位レイヤーシグナリングを用いて送信され、第2の副構成情報はダイナミックシグナリングを用いて送信され、あるいは
第1の副構成情報はダイナミックシグナリングを用いて送信され、第2の副構成情報は上位レイヤーシグナリングを用いて送信される。
【００４２】
第2の態様の第1の可能な実装、または第2の態様の第9の可能な実装を参照し、第2の態様の第11の可能な実装において、アンテナポート数がX2であるコードブック内のプリコーディング行列は
【数１４７】
2018530937.tif 000149
と表され、
【数１４８】
2018530937.tif 000150
、
【数１４９】
2018530937.tif 000151
、l＝0，．．．，L，l’＝f（l）であり、
【数１５０】
2018530937.tif 000152
はクロネッカー積を表し、
【数１５１】
2018530937.tif 000153
は、ダブルコードブック構造をとる、アンテナポート数がXであるアンテナの垂直方向にあるX2個のアンテナポートの、第1のプリコーディング行列に相当し、
【数１５２】
2018530937.tif 000154
は、ダブルコードブック構造をとる、X2個のアンテナポートの第1のプリコーディング行列で対角位置にある行列に相当し、
【数１５３】
2018530937.tif 000155
はビームグループに相当し、各ビームはDFTベクトルに相当し、
【数１５４】
2018530937.tif 000156
は少なくとも2つの列ベクトルを含む集合であり、
【数１５５】
2018530937.tif 000157
の各列ベクトルはDFTベクトルであり、
【数１５６】
2018530937.tif 000158
の各列ベクトルの次元はX2／2であり、Lは垂直方向にあるX2個のアンテナポートに対応するビームグループの合計数であり、
【数１５７】
2018530937.tif 000159
は垂直方向にあるX2個のアンテナポートに対応するビームグループにおけるベクトルの数であり、
【数１５８】
2018530937.tif 000160
は、ダブルコードブック構造をとる、アンテナポート数がXであるアンテナの垂直方向にあるX2個のアンテナポートの、第2のプリコーディング行列に相当し、
【数１５９】
2018530937.tif 000161
はX2個の行を次元に含む行列であって、
【数１６０】
2018530937.tif 000162
で列選択および／または相調整を遂行するために使われ、
第2の構成情報は第3の副構成情報と第4の副構成情報とを含み、第3の副構成情報は
【数１６１】
2018530937.tif 000163
に対応するコードブックサブセット制限の構成情報であり、第4の副構成情報は
【数１６２】
2018530937.tif 000164
に対応するコードブックサブセット制限の構成情報であり、あるいは
第2の構成情報は
【数１６３】
2018530937.tif 000165
に対応するコードブックサブセット制限の構成情報である。
【００４３】
第2の態様の第11の可能な実装を参照し、第2の態様の第12の可能な実装において、第3の副構成情報は上位レイヤーシグナリングを用いて送信され、第4の副構成情報はダイナミックシグナリングを用いて送信され、あるいは
第3の副構成情報はダイナミックシグナリングを用いて送信され、第4の副構成情報は上位レイヤーシグナリングを用いて送信される。
【００４４】
第2の態様、または第2の態様の第6の可能な実装を参照し、第2の態様の第13の可能な実装において、アンテナポート数がXであるアンテナは少なくとも2つの行と2つの列とを有するアンテナアレーである。
【００４５】
第2の態様の第1から第5の可能な実装、または第9から第12の可能な実装のいずれか1つを参照し、第2の態様の第14の可能な実装において、アンテナポート数がXであるアンテナは少なくとも2つの行と2つの列とを有するアンテナアレーであり、X1個のアンテナポートは同じ水平次元にあり、X2個のアンテナポートは同じ垂直次元にある。
【００４６】
第2の態様の第1から第5の可能な実装、または第9から第12の可能な実装を参照し、第2の態様の第15の可能な実装において、アンテナポート数がXであるアンテナは少なくとも2つの行と2つの列とを有するアンテナアレーであり、X1はアンテナポート数がXであるアンテナの列数であり、X2はアンテナポート数がXであるアンテナの行数であり、あるいはX1はアンテナポート数がXであるアンテナの列数の半分であり、X2はアンテナポート数がXであるアンテナの行数であり、あるいはX1はアンテナポート数がXであるアンテナの列数であり、X2はアンテナポート数がXであるアンテナの行数の半分である。
【００４７】
第2の態様を参照し、第2の態様の第16の可能な実装において、第1の構成情報はアンテナポート数がXであるコードブック内の全プリコーディング行列が区分けされた後に得られるコードブック区分のイネーブリング制限情報であり、アンテナポート数がXであるコードブック内の全プリコーディング行列の区分けはあらかじめ規定され、
第2の構成情報は各コードブック区分にあるプリコーディング行列のイネーブリング制限情報である。
【００４８】
第2の態様の第1から第5の可能な実装のいずれか1つを参照し、第2の態様の第17の可能な実装において、第1の構成情報はアンテナポート数がX1であるコードブック内の全プリコーディング行列が区分けされた後に得られるコードブック区分のイネーブリング制限情報であり、アンテナポート数がX1であるコードブック内の全プリコーディング行列の区分けはあらかじめ規定され、第2の構成情報は各コードブック区分にあるプリコーディング行列のイネーブリング制限情報であり、あるいは
第1の構成情報はアンテナポート数がX2であるコードブック内の全プリコーディング行列が区分けされた後に得られるコードブック区分のイネーブリング制限情報であり、アンテナポート数がX2であるコードブック内の全プリコーディング行列の区分けはあらかじめ規定され、第2の構成情報は各コードブック区分にあるプリコーディング行列のイネーブリング制限情報である。
【００４９】
第2の態様の第16または第17の可能な実装を参照し、第2の態様の第18の可能な実装において、第1の構成情報と第2の構成情報はいずれも上位レイヤーシグナリングを用いて送信され、あるいは
第1の構成情報は上位レイヤーシグナリングを用いて送信され、第2の構成情報はダイナミックシグナリングを用いて送信され、あるいは
第1の構成情報はダイナミックシグナリングを用いて送信され、第2の構成情報は上位レイヤーシグナリングを用いて送信される。
【００５０】
第2の態様を参照し、第2の態様の第19の可能な実装において、第1の構成情報はアンテナポート数X3のコードブックサブセット制限の構成情報であり、第2の構成情報はアンテナポート数X4のコードブックサブセット制限の構成情報であり、X＝X3＋X4であり、X3＝X4であり、X3個のアンテナポートとX4個のアンテナポートは異なる偏波方向に対応している。
【００５１】
第2の態様の第1から第5の可能な実装のいずれか1つを参照し、第2の態様の第20の可能な実装において、第1の構成情報はX5個のアンテナポートのコードブックサブセット制限の構成情報であり、第2の構成情報はX6個のアンテナポートのコードブックサブセット制限の構成情報であり、X1＝X5＋X6であり、X5＝X6であり、X5個のアンテナポートとX6個のアンテナポートは異なる偏波方向に対応しており、あるいは
第1の構成情報はX7個のアンテナポートのコードブックサブセット制限の構成情報であり、第2の構成情報はX8個のアンテナポートのコードブックサブセット制限の構成情報であり、X2＝X7＋X8であり、X7＝X8であり、X7個のアンテナポートとX8個のアンテナポートは異なる偏波方向に対応している。
【００５２】
第2の態様を参照し、第2の態様の第21の可能な実装において、アンテナポート数がXであるコードブックに含まれるプリコーディング行列はW＝W1（k，l）＊W2＊W3と表されてよく、
【数１６４】
2018530937.tif 000166
または
【数１６５】
2018530937.tif 000167
であり、
【数１６６】
2018530937.tif 000168
、l＝0，．．．，L，l’＝f（l）、
【数１６７】
2018530937.tif 000169
、k＝0，．．．，K，k’＝f（k）であり、
【数１６８】
2018530937.tif 000170
はクロネッカー積を表し、
【数１６９】
2018530937.tif 000171
は水平方向にあるプリコーディング行列に相当し、
【数１７０】
2018530937.tif 000172
はビームグループに相当し、
【数１７１】
2018530937.tif 000173
は少なくとも2つの列ベクトルを含む集合であり、
【数１７２】
2018530937.tif 000174
の各列ベクトルはDFTベクトルであり、
【数１７３】
2018530937.tif 000175
の各列ベクトルの次元は水平方向にある共偏波アンテナの数であり、Kは水平方向にあるビームグループの数であり、
【数１７４】
2018530937.tif 000176
は水平方向にあるビームグループにおけるベクトルの数であり、
【数１７５】
2018530937.tif 000177
はW1で垂直方向にあるプリコーディング行列に相当し、
【数１７６】
2018530937.tif 000178
はビームグループに相当し、
【数１７７】
2018530937.tif 000179
は少なくとも2つの列ベクトルを含む集合であり、
【数１７８】
2018530937.tif 000180
の各列ベクトルはDFTベクトルであり、
【数１７９】
2018530937.tif 000181
の各列ベクトルの次元は垂直方向にある共偏波アンテナの数であり、Lは垂直方向にあるビームグループの数であり、
【数１８０】
2018530937.tif 000182
は垂直方向にあるビームグループにおけるベクトルの数であり、W2はX個の行を次元に含む列選択行列であって、W1（k，l）で列選択を遂行するために使われ、W3は相調整行列であり、W3は2アンテナグループ間で相調整を遂行するために使われ、
第1の構成情報はW1（k，l）に対応するコードブックサブセット制限の構成情報であり、第2の構成情報はW2に対応するコードブックサブセット制限の構成情報とW3に対応するコードブックサブセット制限の構成情報であり、あるいは
第1の構成情報は第5の副構成情報と第6の副構成情報とを含み、第5の副構成情報は
【数１８１】
2018530937.tif 000183
に対応するコードブックサブセット制限の構成情報であり、第6の副構成情報は
【数１８２】
2018530937.tif 000184
に対応するコードブックサブセット制限の構成情報であり、第2の構成情報はW2に対応するコードブックサブセット制限の構成情報とW3に対応するコードブックサブセット制限の構成情報である。
【００５３】
第2の態様を参照し、第2の態様の第22の可能な実装において、アンテナポート数がXであるアンテナの参照信号が周期的に送信される参照信号である場合、判断モジュールは、チャネル測定とフィードバックを行うべき、アンテナポートのプリコーディング行列を第1の構成情報を用いて判断するよう具体的に構成され、あるいは
アンテナポート数がXであるアンテナの参照信号が周期的に送信されない参照信号である場合、判断モジュールは、チャネル測定とフィードバックを行うべき、アンテナポートのプリコーディング行列を第2の構成情報を用いて判断するよう具体的に構成される。
【００５４】
第2の態様を参照し、第2の態様の第23の可能な実装において、第1の構成情報と第2の構成情報はいずれも上位レイヤーシグナリングを用いて送信され、あるいは
第1の構成情報は上位レイヤーシグナリングを用いて送信され、第2の構成情報はダイナミックシグナリングを用いて送信され、あるいは
第1の構成情報はダイナミックシグナリングを用いて送信され、第2の構成情報は上位レイヤーシグナリングを用いて送信される。
【００５５】
第2の態様を参照し、第2の態様の第24の可能な実装において、参照信号はチャネル状態情報参照信号CSI−RSである。
【００５６】
第2の態様の第7、第8、第10、第12、第18、第22、または第23の可能な実装のいずれか1つを参照し、第2の態様の第25の可能な実装において、ダイナミックシグナリングはDL grantシグナリングであり、あるいはUL grantシグナリングである。
【００５７】
本発明の第3の態様は、プロセッサと、メモリーと、通信インターフェースと、システムバスとを含むユーザー機器UEを提供し、メモリーと通信インターフェースとプロセッサはシステムバスを用いて互いに接続されて通信し、メモリーはコンピュータ実行命令を記憶するよう構成され、通信インターフェースは他の装置と通信するよう構成され、プロセッサはコンピュータ実行命令を実行するよう構成され、これによりUEは、第1の態様、または本発明の第1の態様の第1から第25の可能な実装のいずれか1つに記載の方法を遂行する。
【００５８】
本発明の実施形態で提供されるコードブック構成方法およびユーザー機器によると、UEは、基地局によって送信される、アンテナポート数がXであるアンテナの参照信号と、アンテナポート数Xのコードブックサブセット制限の構成情報とを受信し、アンテナポート数Xのコードブックサブセット制限の構成情報は第1の構成情報と第2の構成情報とを含み、尚且つUEは、アンテナポート数Xのコードブックサブセット制限の構成情報に基づいて、チャネル測定とフィードバックを行うべきプリコーディング行列を判断し、尚且つUEは、参照信号に基づく測定により、チャネル測定とフィードバックを行うべき、アンテナポートのプリコーディング行列を求める。本方法では、コードブックサブセット制限の構成情報のフィードバックオーバーヘッドを減らすため、アンテナポート数Xのコードブックサブセット制限の構成情報がフィードバックのため第1の構成情報と第2の構成情報とで運ばれる。
【００５９】
本発明の実施形態の技術的解決手段や先行技術の技術的解決手段をより明確に説明するため、これ以降は実施形態や先行技術の説明に必要な添付の図面を簡潔に説明する。当然ながら、ここで説明する添付の図面は本発明のいくつかの実施形態を示すものであり、当業者なら創造的な取り組みをせずとも添付の図面をもとにして別の図面を作り出すことができる。
【図面の簡単な説明】
【００６０】
【図１】3つの2Dアンテナアレーの概略構造図である。
【図２】本発明の実施形態1によるコードブック構成方法の流れ図である。
【図３】本発明の実施形態2によるコードブック構成方法の流れ図である。
【図４】本発明の実施形態3によるコードブック構成方法の流れ図である。
【図５】本発明の実施形態4によるコードブック構成方法の流れ図である。
【図６】本発明の実施形態6によるUEの概略構造図である。
【図７】本発明の実施形態11によるUEの概略構造図である。
【発明を実施するための形態】
【００６１】
本発明の実施形態の目的と技術的解決手段と利点をより明瞭にするため、これ以降は本発明の実施形態の添付の図面を参照しながら本発明の実施形態の技術的解決手段を明瞭かつ完全に説明する。当然ながら、説明する実施形態は本発明の実施形態の全てではなく一部に過ぎない。本発明の実施形態をもとにして当業者が創造的な取り組みをせずに考案する他の実施形態はいずれも本発明の保護範囲内に入る。
【００６２】
本発明では二次元（2D）アンテナが導入され、2Dアンテナは水平方向と垂直方向の両方でビーム形成を遂行できる。図1は3つの2Dアンテナアレーの概略構造図である。図1に見られるように、第1の2Dアンテナアレーは4x4アンテナアレーであり、第2の2Dアンテナアレーは2x8アンテナアレーであり、第3の2Dアンテナアレーは4x4アンテナアレーである。ただし、現在の技術において2Dアンテナのためのコードブックは構成されない。
【００６３】
先行技術の問題を解決するため、本発明の実施形態1はコードブック構成方法を提供する。図2は本発明の実施形態1によるコードブック構成方法の流れ図である。図2に見られるように、本実施形態で提供される方法は下記ステップを含んでよい。
【００６４】
ステップ101：UEは、基地局によって送信される、アンテナポート数がXであるアンテナの参照信号と、アンテナポート数Xのコードブックサブセット制限の構成情報とを受信し、アンテナポート数Xのコードブックサブセット制限の構成情報は第1の構成情報と第2の構成情報とを含み、Xは2以上の正の整数である。
【００６５】
参照信号はチャネル状態情報参照信号（Channel State Information−reference signal、略してCSI−RS）であってよい。アンテナポート数がXであるアンテナは少なくとも2つの行と2つの列とを有するアンテナアレーである。
【００６６】
ステップ102：UEは、アンテナポート数Xのコードブックサブセット制限の構成情報に基づいて、チャネル測定とフィードバックを行うべきプリコーディング行列を判断する。
【００６７】
本実施形態において、アンテナポート数Xのコードブックサブセット制限は、測定とフィードバックのため、アンテナポート数がXであるコードブック内の全プリコーディング行列からなる集合から、いくつかのプリコーディング行列からなる部分集合を選択することをUEに命じるために使われる。アンテナポート数Xのコードブックサブセット制限の構成情報はCSRビットマップであってよい。ビットマップにおける各ビットはプリコーディング行列に対応し、ビットの値は0および1である。ビットが0に設定される場合、該ビットに対応するプリコーディング行列は制限され、UEは該ビットに対応する該プリコーディング行列を測定したりフィードバックしたりする必要がなく、あるいはビットが1に設定される場合、UEは該ビットに対応するプリコーディング行列を測定しフィードバックする必要がある。
【００６８】
任意に選べることとして、第1の構成情報はアンテナポート数X1のコードブックサブセット制限の構成情報であり、第2の構成はアンテナポート数X2のコードブックサブセット制限の構成情報であり、X＝X1×X2である。2Dアンテナの場合、X1個のアンテナポートは、アンテナポート数がXであるアンテナアレーの水平方向にあるアンテナポートであってよく、つまりアンテナアレーの各行に含まれているアンテナポートの数であってよく、X2個のアンテナポートは垂直方向にあるアンテナポートであってよく、つまりアンテナアレーの各列に含まれているアンテナポートの数であってよい。したがって、第1の構成情報は水平方向にあるアンテナポートのコードブックサブセット制限の構成情報であり、第2の構成情報は垂直方向にあるアンテナポートのコードブックサブセット制限の構成情報である。あるいは、第1の構成情報はアンテナポート数X1のコードブックサブセット制限の構成情報であり、第2の構成はアンテナポート数X2のコードブックサブセット制限の構成情報であり、X＝X1×X2×2であり、X1個のアンテナポートは水平方向にあるアンテナポートの半分であり、あるいはX2個のアンテナポートは垂直方向にあるアンテナポートの半分である。
【００６９】
UEにより、アンテナポート数Xのコードブックサブセット制限の構成情報に基づいて、チャネル測定とフィードバックを行うべき、アンテナポートのプリコーディング行列を判断するステップは、具体的には、チャネル測定とフィードバックを行うべき、アンテナポートのプリコーディング行列を求めるため、UEにより、アンテナポート数がX1であるプリコーディング行列とアンテナポート数がX2であるプリコーディング行列とでクロネッカー積を遂行するステップである。
【００７０】
チャネル測定とフィードバックを行うべき、アンテナポートのプリコーディング行列を求めるため、UEにより、アンテナポート数がX1であるプリコーディング行列とアンテナポート数がX2であるプリコーディング行列とでクロネッカー積を遂行するステップは、具体的には、アンテナポート数がXであるプリコーディング行列のW1を求めるため、UEにより、アンテナポート数がX1であるプリコーディング行列とアンテナポート数がX2であるプリコーディング行列とでクロネッカー積を遂行するステップと、その後UEにより、式W＝W1＊W2に従い、チャネル測定とフィードバックを行うべき、アンテナポートのプリコーディング行列を求めるステップであって、W2はX個の行を次元に含む行列であって、W1で列選択および／または相調整を遂行するために使われる、該ステップである。
【数１８３】
2018530937.tif 000185
または
【数１８４】
2018530937.tif 000186
であり、
【数１８５】
2018530937.tif 000187
、l＝0，．．．，L，l’＝f（l）、
【数１８６】
2018530937.tif 000188
、k＝0，．．．，K，k’＝f（k）であり、
【数１８７】
2018530937.tif 000189
はクロネッカー積を表す。
【００７１】
【数１８８】
2018530937.tif 000190
はW1で水平方向にあるプリコーディング行列に相当し、
【数１８９】
2018530937.tif 000191
はビームグループに相当し、
【数１９０】
2018530937.tif 000192
は少なくとも2つの列ベクトルを含む集合であり、
【数１９１】
2018530937.tif 000193
の各列ベクトルはDFTベクトルであり、
【数１９２】
2018530937.tif 000194
の各列ベクトルの次元は水平方向にある共偏波アンテナの数であり、Kは水平方向にあるビームグループの数であり、
【数１９３】
2018530937.tif 000195
は水平方向にあるビームグループにおけるベクトルの数であり、
【数１９４】
2018530937.tif 000196
はW1で垂直方向にあるプリコーディング行列に相当し、
【数１９５】
2018530937.tif 000197
はビームグループに相当し、
【数１９６】
2018530937.tif 000198
は少なくとも2つの列ベクトルを含む集合であり、
【数１９７】
2018530937.tif 000199
の各列ベクトルはDFTベクトルであり、
【数１９８】
2018530937.tif 000200
の各列ベクトルの次元は垂直方向にある共偏波アンテナの数であり、Lは垂直方向にあるビームグループの数であり、
【数１９９】
2018530937.tif 000201
は垂直方向にあるビームグループにおけるベクトルの数である。相応に、第1の構成情報は
【数２００】
2018530937.tif 000202
に対応するコードブックサブセット制限の構成情報であり、第2の構成情報は
【数２０１】
2018530937.tif 000203
に対応するコードブックサブセット制限の構成情報である。
【００７２】
例えば、第1の構成情報がbitmap形式であり、プリコーディング行列
【数２０２】
2018530937.tif 000204
の合計数がKであると仮定すると、bitmapは合計K bitsを、すなわち01010000．．．10を含み、プリコーディング行列
【数２０３】
2018530937.tif 000205
、
【数２０４】
2018530937.tif 000206
、および
【数２０５】
2018530937.tif 000207
がイネーブルされ、UEはこれらのプリコーディング行列に基づいて測定とフィードバックを行ってよい。第2の構成情報もbitmap形式である場合、プリコーディング行列
【数２０６】
2018530937.tif 000208
の合計数がLであると仮定すると、bitmapは合計L bitsを、すなわち11000000．．．01を含み、プリコーディング行列
【数２０７】
2018530937.tif 000209
、
【数２０８】
2018530937.tif 000210
、および
【数２０９】
2018530937.tif 000211
がイネーブルされ、UEはこれらのプリコーディング行列に基づいて測定とフィードバックを行ってよい。
【００７３】
本実施形態において、基地局はアンテナポート数Xのコードブックサブセット制限の構成情報を下記方式を用いて送信してよい。
【００７４】
（1）第1の構成情報と第2の構成情報はいずれも上位レイヤーシグナリングを用いて送信される。
【００７５】
（2）第1の構成情報は上位レイヤーシグナリングを用いて送信され、第2の構成情報はダイナミックシグナリングを用いて送信される。
【００７６】
（3）第1の構成情報と第2の構成情報はいずれも上位レイヤーシグナリングを用いて送信される。
【００７７】
（4）X1とX2でアンテナポート数が多い方のアンテナポートのコードブックサブセット制限の構成情報はダイナミックシグナリングを用いて構成され、X1とX2でアンテナポート数が少ない方のアンテナポートのコードブックサブセット制限の構成情報は上位レイヤーシグナリングを用いて構成される。
【００７８】
（5）X1とX2でアンテナポート数が多い方のアンテナポートのコードブックサブセット制限の構成情報は上位レイヤーシグナリングを用いて構成され、X1とX2でアンテナポート数が少ない方のアンテナポートのコードブックサブセット制限の構成情報はダイナミックシグナリングを用いて構成される。
【００７９】
（6）アンテナポート数がX1であるコードブック内のプリコーディング行列がダブルコードブック構造をとる場合、アンテナポート数がX1である該コードブック内の該プリコーディング行列は
【数２１０】
2018530937.tif 000212
と表され、
【数２１１】
2018530937.tif 000213
、
【数２１２】
2018530937.tif 000214
、k＝0，．．．，K，k’＝f（k）であり、
【数２１３】
2018530937.tif 000215
はクロネッカー積を表す。
【００８０】
【数２１４】
2018530937.tif 000216
は、ダブルコードブック構造をとる、アンテナポート数がXであるアンテナの水平方向にあるX1個のアンテナポートの、第1のプリコーディング行列に相当し、
【数２１５】
2018530937.tif 000217
は、ダブルコードブック構造をとるX1個のアンテナポートの第1のプリコーディング行列で対角位置にある行列に相当し、
【数２１６】
2018530937.tif 000218
はビームグループに相当し、各ビームはDFTベクトルに相当し、
【数２１７】
2018530937.tif 000219
は少なくとも2つの列ベクトルを含む集合であり、
【数２１８】
2018530937.tif 000220
の各列ベクトルはDFTベクトルであり、
【数２１９】
2018530937.tif 000221
の各列ベクトルの次元はX1／2であり、Kは水平方向にあるX1個のアンテナポートに対応するビームグループの合計数であり、すなわち
【数２２０】
2018530937.tif 000222
の合計数であり、
【数２２１】
2018530937.tif 000223
は水平方向にあるX1個のアンテナポートに対応するビームグループにおけるベクトルの数であり、
【数２２２】
2018530937.tif 000224
は、ダブルコードブック構造をとる、アンテナポート数がXであるアンテナの水平方向にあるX1個のアンテナポートの、第2のプリコーディング行列に相当し、
【数２２３】
2018530937.tif 000225
はX1個の行を次元に含む行列であって、
【数２２４】
2018530937.tif 000226
で列選択および／または相調整を遂行するために使われる。
【００８１】
相応に、第1の構成情報は第1の副構成情報と第2の副構成情報とを含み、第1の副構成情報は
【数２２５】
2018530937.tif 000227
に対応するコードブックサブセット制限の構成情報であり、第2の副構成情報は
【数２２６】
2018530937.tif 000228
に対応するコードブックサブセット制限の構成情報である。あるいは、第1の構成情報は
【数２２７】
2018530937.tif 000229
に対応するコードブックサブセット制限の構成情報である。任意に選べることとして、第1の副構成情報は上位レイヤーシグナリングを用いて送信され、第2の副構成情報はダイナミックシグナリングを用いて送信され、あるいは第1の副構成情報はダイナミックシグナリングを用いて送信され、第2の副構成情報は上位レイヤーシグナリングを用いて送信される。
【００８２】
この方式において、水平方向にあるX1個のアンテナポートに対応するビームグループはK個のビームグループに分割される。それぞれのビームグループは
【数２２８】
2018530937.tif 000230
個のプリコーディングベクトルを含み、それぞれのビームは
【数２２９】
2018530937.tif 000231
の列ベクトルとして使われる。
【数２３０】
2018530937.tif 000232
はX1個の行を次元に含む行列であり、
【数２３１】
2018530937.tif 000233
で列選択を遂行するために、および／または2アンテナグループ間で相調整を遂行するために、使われる。
【００８３】
（7）アンテナポート数がX2であるコードブック内のプリコーディング行列がダブルコードブック構造をとる場合、アンテナポート数がX2である該コードブック内の該プリコーディング行列は
【数２３２】
2018530937.tif 000234
と表され、
【数２３３】
2018530937.tif 000235
、
【数２３４】
2018530937.tif 000236
、l＝0，．．．，L，l’＝f（l）であり、
【数２３５】
2018530937.tif 000237
はクロネッカー積を表す。
【００８４】
【数２３６】
2018530937.tif 000238
は、ダブルコードブック構造をとる、ポート数がXであるアンテナアレーの垂直方向にあるX2個のアンテナポートの、第1のプリコーディング行列に相当し、
【数２３７】
2018530937.tif 000239
は、ダブルコードブック構造をとる、X2個のアンテナポートの第1のプリコーディング行列で対角位置にある行列に相当し、
【数２３８】
2018530937.tif 000240
はビームグループに相当し、各ビームはDFTベクトルに相当し、
【数２３９】
2018530937.tif 000241
は少なくとも2つの列ベクトルを含む集合であり、
【数２４０】
2018530937.tif 000242
の各列ベクトルはDFTベクトルであり、
【数２４１】
2018530937.tif 000243
の各列ベクトルの次元はX2／2であり、Lは垂直方向にあるX2個のアンテナポートに対応するビームグループの合計数であり、すなわち
【数２４２】
2018530937.tif 000244
の合計数であり、
【数２４３】
2018530937.tif 000245
は垂直方向にあるX2個のアンテナポートに対応するビームグループにおけるベクトルの数であり、
【数２４４】
2018530937.tif 000246
は、ダブルコードブック構造をとる、アンテナポート数がXであるアンテナの垂直方向にあるX2個のアンテナポートの、第2のプリコーディング行列に相当し、
【数２４５】
2018530937.tif 000247
はX2個の行を次元に含む行列であって、
【数２４６】
2018530937.tif 000248
で列選択および／または相調整を遂行するために使われる。
【００８５】
相応に、第2の構成情報は第3の副構成情報と第4の副構成情報とを含み、第3の副構成情報は
【数２４７】
2018530937.tif 000249
に対応するコードブックサブセット制限の構成情報であり、第4の副構成情報は
【数２４８】
2018530937.tif 000250
に対応するコードブックサブセット制限の構成情報である。あるいは、第2の構成情報は
【数２４９】
2018530937.tif 000251
に対応するコードブックサブセット制限の構成情報である。任意に選べることとして、第3の副構成情報は上位レイヤーシグナリングを用いて送信され、第4の副構成情報はダイナミックシグナリングを用いて送信され、あるいは第3の副構成情報はダイナミックシグナリングを用いて送信され、第4の副構成情報は上位レイヤーシグナリングを用いて送信される。
【００８６】
任意に選べることとして、アンテナポート数がX1であるコードブック内のプリコーディング行列とアンテナポート数がX2であるコードブック内のプリコーディング行列がそれぞれダブルコードブック構造をとり得るなら、
【数２５０】
2018530937.tif 000252
である。
【００８７】
本実施形態において、アンテナポート数がXであるアンテナが少なくとも2つの行と2つの列とを有するアンテナアレーであるなら、X1個のアンテナポートは同じ水平次元にあり、X2個のアンテナポートは同じ垂直次元にある。この場合、X1の値はアンテナアレーの水平次元にあるアンテナポートの合計数以下であってよく、X2の値はアンテナアレーの垂直次元にあるアンテナポートの合計数以下であってよい。
【００８８】
あるいは、X1はアンテナポート数がXであるアンテナの列数であり、X2はアンテナポート数がXであるアンテナの行数であり、あるいはX1はアンテナポート数がXであるアンテナの列数の半分であり、X2はアンテナポート数がXであるアンテナの行数であり、あるいはX1はアンテナポート数がXであるアンテナの列数であり、X2はアンテナポート数がXであるアンテナの行数の半分である。
【００８９】
水平次元のコードブックが合計N個のプリコーディング行列を含み、水平次元におけるコードブックサブセット制限の構成情報がa0−aN−1であり、a0−aN−1がbitmap形式をとると仮定する。それぞれのプリコーディング行列は1ビットに対応し、各ビットの値は0または1である。ビットの値が1である場合、これは該ビットに対応するプリコーディング行列が選択され、UEが選択されたプリコーディング行列を測定しフィードバックする必要があることを意味する。ビットの値が0である場合、これは該ビットに対応するプリコーディング行列が選択されず、UEが選択されたプリコーディング行列を測定したりフィードバックしたりする必要がないことを意味する。Nが5であり、a0−aN−1＝01100であり、bitmapで1に対応する位置にあるコードワードが選択されると仮定する。
【００９０】
本実施形態では、コードブックサブセット制限の構成情報のフィードバックオーバーヘッドを減らすため、水平次元におけるコードブックサブセット制限の構成情報と垂直次元におけるコードブックサブセット制限の構成情報は別々にフィードバックされる。例えば、2Dアンテナアレーで、水平方向に合計8個のプリコーディング行列が選択可能であり、垂直方向に合計4個のプリコーディング行列が選択可能であり、合計32個のプリコーディング行列を求めるため水平方向と垂直方向のプリコーディング行列でクロネッカー積が遂行されると仮定する。水平次元におけるコードブックサブセット制限の構成情報と垂直次元におけるコードブックサブセット制限の構成情報が別々にフィードバックされないなら、コードブックサブセット制限の構成情報をフィードバックするため32ビットのビットマップが必要となるが、水平次元におけるコードブックサブセット制限の構成情報と垂直次元におけるコードブックサブセット制限の構成情報が別々にフィードバックされるなら、水平次元で僅か4ビットが必要であり、垂直次元で僅か8ビットが必要であり、合計12ビットがコードブックサブセット制限に必要となる。したがって、コードブックサブセット制限の構成情報のフィードバックオーバーヘッドは減らされる。
【００９１】
ステップ103：UEは、アンテナポート数がXであるアンテナの参照信号に基づく測定により、チャネル測定とフィードバックを行うべきプリコーディング行列を求める。
【００９２】
アンテナポートの参照信号に基づいてアンテナポートのプリコーディング行列を判断するステップは先行技術である。ここでは詳細を説明しない。
【００９３】
本実施形態のコードブック構成方法によると、UEは、基地局によって送信される、アンテナポート数がXであるアンテナの参照信号と、アンテナポート数Xのコードブックサブセット制限の構成情報とを受信し、アンテナポート数Xのコードブックサブセット制限の構成情報は第1の構成情報と第2の構成情報とを含み、尚且つUEは、アンテナポート数Xのコードブックサブセット制限の構成情報に基づいて、チャネル測定とフィードバックを行うべきプリコーディング行列を判断し、尚且つUEは、参照信号に基づく測定により、チャネル測定とフィードバックを行うべき、アンテナポートのプリコーディング行列を求める。本方法では、コードブックサブセット制限の構成情報のフィードバックオーバーヘッドを減らすため、アンテナポート数Xのコードブックサブセット制限の構成情報がフィードバックのため第1の構成情報と第2の構成情報とで運ばれる。
【００９４】
図3は本発明の実施形態2によるコードブック構成方法の流れ図である。図3に見られるように、本実施形態で提供される方法は下記ステップを含んでよい。
【００９５】
ステップ201：UEは、基地局によって送信される、アンテナポート数がXであるアンテナの参照信号と、アンテナポート数Xのコードブックサブセット制限の構成情報とを受信し、アンテナポート数Xのコードブックサブセット制限の構成情報は第1の構成情報と第2の構成情報とを含み、第1の構成情報はアンテナポート数がXであるコードブック内の全プリコーディング行列が区分けされた後に得られるコードブック区分のイネーブリング制限情報であり、アンテナポート数がXであるコードブック内の全プリコーディング行列の区分けはあらかじめ規定され、第2の構成情報は各コードブック区分にあるプリコーディング行列のイネーブリング制限情報であり、Xは2以上の正の整数である。
【００９６】
本実施形態では、アンテナポート数がXであるコードブック内の全プリコーディング行列をあらかじめ区分けする必要がある。例えば、アンテナポート数がXであるコードブック内の全プリコーディング行列は｛W｝＝｛C0，C1，C2．．．CN−1｝であり、i個のコードブック区分に分けられる。第1のコードブック区分はC0〜Cd−1であり、第2のコードブック区分はCd〜C2d−1であり、i番目のコードブック区分はCid〜Cid−1である。これは説明のための一例に過ぎず、本発明においてコードブックの区分けは制限されない。
【００９７】
本実施形態において、第1の構成情報はアンテナポート数がXであるコードブック内の全プリコーディング行列が区分けされた後に得られるコードブック区分のイネーブリング制限情報であり、第2の構成情報は各コードブック区分にあるプリコーディング行列のイネーブリング制限情報である。例えば、32個のプリコーディング行列が4個のコードブック区分に分けられ、それぞれのコードブック区分は8個のプリコーディング行列を含む。この場合、第1の構成情報は4個のコードブック区分のイネーブリング制限情報を携える。例えば、イネーブリング制限情報は0110であり、1はビットに対応するコードブック区分がイネーブルされることを意味し、0はビットに対応するコードブック区分がイネーブルされないことを意味する。この場合、0110は第2のコードブック区分と第3のコードブック区分がイネーブルされ、UEがイネーブルされたコードブック区分でプリコーディング行列を測定する必要があることを意味する。さらに、基地局は、それぞれのコードブック区分にある一部のプリコーディング行列だけをUEが測定することを指定してよい。したがって、第2の構成情報はイネーブルされるコードブック区分にあるプリコーディング行列のイネーブリング制限情報を携える。例えば、第2のコードブック区分にあるプリコーディング行列のイネーブリング制限情報は11001001であり、1はビットに対応するプリコーディング行列がイネーブルされることを意味し、0はビットに対応するプリコーディング行列がイネーブルされないことを意味する。UEはイネーブルされるプリコーディング行列だけを測定する。この場合、11001001は、UEが第1、第2、第5、および第8のビットに対応するプリコーディング行列だけを測定することを意味する。
【００９８】
任意に選べることとして、第1の構成情報と第2の構成情報はいずれも上位レイヤーシグナリングを用いて送信され、あるいは第1の構成情報は上位レイヤーシグナリングを用いて送信され、第2の構成情報はダイナミックシグナリングを用いて送信され、あるいは第1の構成情報はダイナミックシグナリングを用いて送信され、第2の構成情報は上位レイヤーシグナリングを用いて送信される。
【００９９】
ステップ202：UEは、アンテナポート数Xのコードブックサブセット制限の構成情報に基づいて、チャネル測定とフィードバックを行うべきプリコーディング行列を判断する。
【０１００】
本実施形態において、UEはまず、第1の構成情報に基づいてイネーブルされるコードブック区分を判断し、さらに、第2の構成情報に基づいてイネーブルされるコードブックの中でどのプリコーディング行列がイネーブルされるかを判断する。イネーブルされるプリコーディング行列は、チャネル測定とフィードバックを行うべきプリコーディング行列である。
【０１０１】
ステップ203：UEは、アンテナポート数がXであるアンテナの参照信号に基づく測定により、チャネル測定とフィードバックを行うべきプリコーディング行列を求める。
【０１０２】
本実施形態において、アンテナポート数Xのコードブックサブセット制限の構成情報は第1の構成情報と第2の構成情報とを含み、第1の構成情報はアンテナポート数がXであるコードブック内の全プリコーディング行列が区分けされた後に得られるコードブック区分のイネーブリング制限情報であり、第2の構成情報は各コードブック区分にあるプリコーディング行列のイネーブリング制限情報である。UEは第1の構成情報に基づいてイネーブルされるコードブック区分を判断し、さらに、第2の構成情報に基づいてチャネル測定とフィードバックを行うべき、アンテナポートのプリコーディング行列を判断する。UEは、参照信号に基づく測定により、チャネル測定とフィードバックを行うべき、アンテナポートのプリコーディング行列を求める。本方法では、コードブックサブセット制限の構成情報のフィードバックオーバーヘッドを減らすため、アンテナポート数がXであるコードブックが複数のコードブック区分に分けられ、コードブック区分のイネーブリング制限情報とコードブック区分内のプリコーディング行列の制限情報がフィードバックのため第1の構成情報と第2の構成情報でそれぞれ運ばれる。
【０１０３】
実施形態2の方法は水平方向と垂直方向にあるアンテナポートのコードブックサブセット制限の構成情報にも応用可能である。相応に、第1の構成情報はアンテナポート数がX1であるコードブック内の全プリコーディング行列が区分けされた後に得られるコードブック区分のイネーブリング制限情報であり、アンテナポート数がX1であるコードブック内の全プリコーディング行列の区分けはあらかじめ規定され、第2の構成情報は各コードブック区分にあるプリコーディング行列のイネーブリング制限情報である。あるいは、第1の構成情報はアンテナポート数がX2であるコードブック内の全プリコーディング行列が区分けされた後に得られるコードブック区分のイネーブリング制限情報であり、アンテナポート数がX2であるコードブック内の全プリコーディング行列の区分けはあらかじめ規定され、第2の構成情報は各コードブック区分にあるプリコーディング行列のイネーブリング制限情報である。
【０１０４】
図4は本発明の実施形態3によるコードブック構成方法の流れ図である。図4に見られるように、本実施形態で提供される方法は下記ステップを含んでよい。
【０１０５】
ステップ301：UEは、基地局によって送信される、アンテナポート数がXであるアンテナの参照信号と、アンテナポート数Xのコードブックサブセット制限の構成情報とを受信し、アンテナポート数Xのコードブックサブセット制限の構成情報は第1の構成情報と第2の構成情報とを含み、第1の構成情報はアンテナポート数X3のコードブックサブセット制限の構成情報であり、第2の構成情報はアンテナポート数X4のコードブックサブセット制限の構成情報であり、X3個のアンテナポートとX4個のアンテナポートは異なる偏波方向に対応しており、X＝X3＋X4であり、X3＝X4であり、Xは2以上の正の整数である。
【０１０６】
本実施形態では、X個のアンテナがアンテナの偏波方向に従って2つのグループに分けられる。一方のアンテナポートグループの偏波方向は垂直偏波方向であり、他方のアンテナポートグループの偏波方向は水平偏波方向である。本実施形態において、X3個のアンテナポートの偏波方向が垂直偏波方向であるなら、X4個のアンテナポートの偏波方向は水平偏波方向であり、X3個のアンテナポートの偏波方向が水平偏波方向であるなら、X4個のアンテナポートの偏波方向は垂直偏波方向である。
【０１０７】
ステップ302：UEは、アンテナポート数Xのコードブックサブセット制限の構成情報に基づいて、チャネル測定とフィードバックを行うべきプリコーディング行列を判断する。
【０１０８】
具体的に述べると、UEは、第1の構成情報と第2の構成情報とに基づいて、チャネル測定とフィードバックを行うべき、アンテナポートのプリコーディング行列を判断する。
【０１０９】
ステップ303：UEは、チャネル測定とフィードバックを行うべき、アンテナポートの参照信号に基づく測定により、チャネル測定とフィードバックを行うべきプリコーディング行列を求める。
【０１１０】
本実施形態において、アンテナポート数Xのコードブックサブセット制限の構成情報は第1の構成情報と第2の構成情報とを含み、第1の構成情報はアンテナポート数X3のコードブックサブセット制限の構成情報であり、第2の構成情報はアンテナポート数X4のコードブックサブセット制限の構成情報である。X3個のアンテナポートとX4個のアンテナポートは異なる偏波方向に対応しており、チャネル測定とフィードバックを行うべき、アンテナポートのプリコーディング行列は第1の構成情報と第2の構成情報とに基づいて判断される。コードブックサブセット制限の構成情報のフィードバックオーバーヘッドを減らすため、アンテナポート数がXであるコードブックはアンテナの偏波方向に従って2つのコードブックサブセットに分けられ、2つのコードブックサブセットに関する制限の構成情報はフィードバックのため第1の構成情報と第2の構成情報でそれぞれ運ばれる。
【０１１１】
実施形態3の方法は水平方向と垂直方向にあるアンテナポートのコードブックサブセット制限の構成情報にも応用可能である。相応に、第1の構成情報はX5個のアンテナポートのコードブックサブセット制限の構成情報であり、第2の構成情報はX6個のアンテナポートのコードブックサブセット制限の構成情報であり、X1＝X5＋X6であり、X5＝X6であり、X5個のアンテナポートとX6個のアンテナポートは異なる偏波方向に対応している。あるいは、第1の構成情報はX7個のアンテナポートのコードブックサブセット制限の構成情報であり、第2の構成情報はX8個のアンテナポートのコードブックサブセット制限の構成情報であり、X2＝X7＋X8であり、X7＝X8であり、X7個のアンテナポートとX8個のアンテナポートは異なる偏波方向に対応している。
【０１１２】
図5は本発明の実施形態4によるコードブック構成方法の流れ図である。図5に見られるように、本実施形態で提供される方法は下記ステップを含んでよい。
【０１１３】
ステップ401：UEは、基地局によって送信される、アンテナポート数がXであるアンテナの参照信号と、アンテナポート数Xのコードブックサブセット制限の構成情報とを受信し、アンテナポート数Xのコードブックサブセット制限の構成情報は第1の構成情報と第2の構成情報とを含み、Xは2以上の正の整数である。
【０１１４】
本実施形態では、周期的に伝送される参照信号と周期的に伝送されない参照信号で異なるコードブックサブセット構成情報が使用され、第1の構成情報と第2の構成情報は異なるコードブックサブセット構成情報に対応している。
【０１１５】
任意に選べることとして、第1の構成情報と第2の構成情報はいずれも上位レイヤーシグナリングを用いて送信され、あるいは第1の構成情報は上位レイヤーシグナリングを用いて送信され、第2の構成情報はダイナミックシグナリングを用いて送信され、あるいは第1の構成情報はダイナミックシグナリングを用いて送信され、第2の構成情報は上位レイヤーシグナリングを用いて送信される。
【０１１６】
ステップ402：アンテナポート数がXであるアンテナの参照信号が周期的に送信される参照信号である場合、UEはチャネル測定とフィードバックを行うべきプリコーディング行列を第1の構成情報を用いて判断し、あるいはアンテナポート数がXであるアンテナの参照信号が周期的に送信されない参照信号である場合、UEはチャネル測定とフィードバックを行うべきプリコーディング行列を第2の構成情報を用いて判断する。
【０１１７】
参照信号はCSI−RS信号であってよく、CSI−RSは2つの構成を含み、すなわちconfiguration 0とconfiguration 1とを含み、configuration 0はCSI−RSが周期的信号であることを示し、configuration 1はCSI−RSが非周期的信号であることを示す。例えば、周期的CSI−RSが送信される各アンテナポートに対応する垂直ビーム方向はB1である。例えば、B1は水平線の10度下の方向を指し、基地局によって送信される周期的CSI−RSの送信時期は0ms、5ms、および10msである。UEは第1の構成情報に基づいてイネーブルされるコードブックセットが｛C0｝であると判断する。
【０１１８】
基地局は0ms、5ms、および10ms以外の時期に非周期的CSI−RSを送信し、例えば基地局は7msに非周期的CSI−RSを送信する。非周期的CSI−RSが送信される各アンテナポートに対応する垂直ビーム方向はB2である。例えば、B2は水平線の20度下の方向を指す。UEは第2の構成情報に基づいてイネーブルされるコードブックセット｛C1｝を判断する。本実施形態において、基地局はイネーブルされるコードブックセットを選択することを2つのビットを使ってUEに命じてよい。例えば、イネーブルされるコードブックセット｛C0｝を表すには00が使われ、イネーブルされるコードブックセット｛C1｝を表すには01が使われ、イネーブルされるコードブックセット｛C2｝を表すには10が使われ、イネーブルされるコードブックセット｛C3｝を表すには11が使われる。イネーブルされるコードブックセットがもっとある場合は、より多くのビットが必要となる。例えば、イネーブルされるコードブックセットが8つあるなら3つのビットが命令に必要となる。
【０１１９】
ステップ403：UEは、アンテナポート数がXであるアンテナの参照信号に基づく測定により、チャネル測定とフィードバックを行うべきプリコーディング行列を求める。
【０１２０】
本実施形態では、周期的に伝送される参照信号と周期的に伝送されない参照信号で異なるコードブックサブセット構成情報が使用される。参照信号が周期的に送信される参照信号である場合、UEはチャネル測定とフィードバックを行うべき、アンテナポートのプリコーディング行列を第1の構成情報を用いて判断し、あるいは参照信号が周期的に送信されない参照信号である場合、UEはチャネル測定とフィードバックを行うべき、アンテナポートのプリコーディング行列を第2の構成情報を用いて判断する。本方法では、コードブックサブセット制限の構成情報のフィードバックオーバーヘッドを減らすため、参照信号が参照信号の周期性に従って2つのコードブックサブセットに分けられ、2つのコードブックサブセットに関する制限の構成情報は第1の構成情報と第2の構成情報とを用いてそれぞれフィードバックされる。
【０１２１】
本発明の実施形態5はコードブック構成方法を提供する。本実施形態において、アンテナポート数がXであるコードブックに含まれるプリコーディング行列はダブルコードブックによって表され、具体的にはW＝W1（k，l）＊W2と表されてよく、
【数２５１】
2018530937.tif 000253
または
【数２５２】
2018530937.tif 000254
であり、
【数２５３】
2018530937.tif 000255
、l＝0，．．．，L，l’＝f（l）、
【数２５４】
2018530937.tif 000256
、k＝0，．．．，K，k’＝f（k）であり、
【数２５５】
2018530937.tif 000257
はクロネッカー積を表す。
【０１２２】
【数２５６】
2018530937.tif 000258
は水平方向にあるプリコーディング行列に相当し、
【数２５７】
2018530937.tif 000259
はビームグループに相当し、
【数２５８】
2018530937.tif 000260
は少なくとも2つの列ベクトルを含む集合であり、
【数２５９】
2018530937.tif 000261
の各列ベクトルはDFTベクトルであり、
【数２６０】
2018530937.tif 000262
の各列ベクトルの次元は水平方向にある共偏波アンテナの数であり、Kは水平方向にあるビームグループの数であり、
【数２６１】
2018530937.tif 000263
は水平方向にあるビームグループにおけるベクトルの数であり、
【数２６２】
2018530937.tif 000264
は垂直方向にあるプリコーディング行列に相当し、
【数２６３】
2018530937.tif 000265
はビームグループに相当し、
【数２６４】
2018530937.tif 000266
は少なくとも2つの列ベクトルを含む集合であり、
【数２６５】
2018530937.tif 000267
の各列ベクトルはDFTベクトルであり、
【数２６６】
2018530937.tif 000268
の各列ベクトルの次元は垂直方向にある共偏波アンテナの数であり、Lは垂直方向にあるビームグループの数であり、
【数２６７】
2018530937.tif 000269
は垂直方向にあるビームグループにおけるベクトルの数であり、W2はX個の行を次元に含む行列であって、W1（k，l）での列選択と2アンテナグループ間での相調整を遂行するために使われる。
【０１２３】
本実施形態において、
【数２６８】
2018530937.tif 000270
は
【数２６９】
2018530937.tif 000271
と表されてよく、
【数２７０】
2018530937.tif 000272
である。
【０１２４】
相応に、第1の構成情報はW1（k，l）に対応するコードブックサブセット制限の構成情報であり、第2の構成情報はW2に対応するコードブックサブセット制限の構成情報である。あるいは、第1の構成情報は第5の副構成情報と第6の副構成情報とを含み、第5の副構成情報は
【数２７１】
2018530937.tif 000273
に対応するコードブックサブセット制限の構成情報であり、第6の副構成情報は
【数２７２】
2018530937.tif 000274
に対応するコードブックサブセット制限の構成情報であり、第2の構成情報はW2に対応するコードブックサブセット制限の構成情報である。
【０１２５】
あるいは、アンテナポート数がXであるコードブックに含まれるプリコーディング行列はW＝W1（k，l）＊W2＊W3と表される。この場合、W2はX個の行を次元に含む列選択行列であり、W1（k，l）で列選択を遂行するために使われ、W3は相調整行列であり、W3は2アンテナグループ間で相調整を遂行するために使われる。相応に、第1の構成情報はW1（k，1）に対応するコードブックサブセット制限の構成情報であり、第2の構成情報はW2に対応するコードブックサブセット制限の構成情報とW3に対応するコードブックサブセット制限の構成情報である。あるいは、第1の構成情報は第5の副構成情報と第6の副構成情報とを含み、第5の副構成情報は
【数２７３】
2018530937.tif 000275
に対応するコードブックサブセット制限の構成情報であり、第6の副構成情報は
【数２７４】
2018530937.tif 000276
に対応するコードブックサブセット制限の構成情報であり、第2の構成情報はW2に対応するコードブックサブセット制限の構成情報とW3に対応するコードブックサブセット制限の構成情報である。
【０１２６】
図6は本発明の実施形態6によるUEの概略構造図である。図6に見られるように、本実施形態で提供されるUEは、受信モジュール11と、判断モジュール12と、測定モジュール13とを含む。
【０１２７】
受信モジュール11は、基地局によって送信される、アンテナポート数がXであるアンテナの参照信号と、アンテナポート数Xのコードブックサブセット制限の構成情報とを受信するよう構成され、アンテナポート数Xのコードブックサブセット制限の構成情報は第1の構成情報と第2の構成情報とを含み、Xは2以上の正の整数である。
【０１２８】
判断モジュール12は、アンテナポート数Xのコードブックサブセット制限の構成情報に基づいて、チャネル測定とフィードバックを行うべきプリコーディング行列を判断するよう構成され、アンテナポート数Xのコードブックサブセット制限は、測定とフィードバックのため、アンテナポート数がXであるコードブック内の全プリコーディング行列からいくつかのプリコーディング行列を選択することをUEに命じるために使われる。
【０１２９】
測定モジュール13は、アンテナポート数がXであるアンテナの参照信号に基づく測定により、チャネル測定とフィードバックを行うべきプリコーディング行列を求めるよう構成される。
【０１３０】
任意に選べることとして、第1の構成情報はアンテナポート数X1のコードブックサブセット制限の構成情報であり、第2の構成はアンテナポート数X2のコードブックサブセット制限の構成情報であり、X＝X1×X2である。
【０１３１】
任意に選べることとして、第1の構成情報はアンテナポート数X1のコードブックサブセット制限の構成情報であり、第2の構成はアンテナポート数X2のコードブックサブセット制限の構成情報であり、X＝X1×X2×2である。
【０１３２】
相応に、判断モジュール12は、チャネル測定とフィードバックを行うべき、アンテナポートのプリコーディング行列を求めるため、アンテナポート数がX1であるプリコーディング行列とアンテナポート数がX2であるプリコーディング行列とでクロネッカー積を遂行するよう具体的に構成される。判断モジュール12が、チャネル測定とフィードバックを行うべき、アンテナポートのプリコーディング行列を求めるため、アンテナポート数がX1であるプリコーディング行列とアンテナポート数がX2であるプリコーディング行列とでクロネッカー積を遂行することは、具体的には、
アンテナポート数がXであるプリコーディング行列のW1を求めるため、アンテナポート数がX1であるプリコーディング行列とアンテナポート数がX2であるプリコーディング行列とでクロネッカー積を遂行するステップと、
式W＝W1＊W2に従い、チャネル測定とフィードバックを行うべき、アンテナポートのプリコーディング行列を求めるステップであって、W2はX個の行を次元に含む行列であって、W1で列選択および／または相調整を遂行するために使われる、該ステップ
である。
【０１３３】
【数２７５】
2018530937.tif 000277
または
【数２７６】
2018530937.tif 000278
であり、
【数２７７】
2018530937.tif 000279
、l＝0，．．．，L，l’＝f（l）、
【数２７８】
2018530937.tif 000280
、k＝0，．．．，K，k’＝f（k）であり、
【数２７９】
2018530937.tif 000281
はクロネッカー積を表す。
【０１３４】
【数２８０】
2018530937.tif 000282
はW1で水平方向にあるプリコーディング行列に相当し、
【数２８１】
2018530937.tif 000283
はビームグループに相当し、
【数２８２】
2018530937.tif 000284
は少なくとも2つの列ベクトルを含む集合であり、
【数２８３】
2018530937.tif 000285
の各列ベクトルはDFTベクトルであり、
【数２８４】
2018530937.tif 000286
の各列ベクトルの次元は水平方向にある共偏波アンテナの数であり、Kは水平方向にあるビームグループの数であり、
【数２８５】
2018530937.tif 000287
は水平方向にあるビームグループにおけるベクトルの数であり、
【数２８６】
2018530937.tif 000288
はW1で垂直方向にあるプリコーディング行列に相当し、
【数２８７】
2018530937.tif 000289
はビームグループに相当し、
【数２８８】
2018530937.tif 000290
は少なくとも2つの列ベクトルを含む集合であり、
【数２８９】
2018530937.tif 000291
の各列ベクトルはDFTベクトルであり、
【数２９０】
2018530937.tif 000292
の各列ベクトルの次元は垂直方向にある共偏波アンテナの数であり、Lは垂直方向にあるビームグループの数であり、
【数２９１】
2018530937.tif 000293
は垂直方向にあるビームグループにおけるベクトルの数であり、第1の構成情報は
【数２９２】
2018530937.tif 000294
に対応するコードブックサブセット制限の構成情報であり、第2の構成情報は
【数２９３】
2018530937.tif 000295
に対応するコードブックサブセット制限の構成情報である。
【０１３５】
任意に選べることとして、第1の構成情報と第2の構成情報はいずれも上位レイヤーシグナリングを用いて送信され、あるいは第1の構成情報は上位レイヤーシグナリングを用いて送信され、第2の構成情報はダイナミックシグナリングを用いて送信され、あるいは第1の構成情報と第2の構成情報はいずれも上位レイヤーシグナリングを用いて送信される。
【０１３６】
任意に選べることとして、X1とX2でアンテナポート数が多い方のアンテナポートのコードブックサブセット制限の構成情報はダイナミックシグナリングを用いて構成され、X1とX2でアンテナポート数が少ない方のアンテナポートのコードブックサブセット制限の構成情報は上位レイヤーシグナリングを用いて構成され、あるいはX1とX2でアンテナポート数が多い方のアンテナポートのコードブックサブセット制限の構成情報は上位レイヤーシグナリングを用いて構成され、X1とX2でアンテナポート数が少ない方のアンテナポートのコードブックサブセット制限の構成情報はダイナミックシグナリングを用いて構成される。
【０１３７】
任意に選べることとして、アンテナポート数がX1であるコードブック内のプリコーディング行列は
【数２９４】
2018530937.tif 000296
と表され、
【数２９５】
2018530937.tif 000297
、
【数２９６】
2018530937.tif 000298
、k＝0，．．．，K，k’＝f（k）であり、
【数２９７】
2018530937.tif 000299
はクロネッカー積を表す。
【０１３８】
【数２９８】
2018530937.tif 000300
は、ダブルコードブック構造をとる、アンテナポート数がXであるアンテナの水平方向にあるX1個のアンテナポートの、第1のプリコーディング行列に相当し、
【数２９９】
2018530937.tif 000301
は、ダブルコードブック構造をとるX1個のアンテナポートの第1のプリコーディング行列で対角位置にある行列に相当し、
【数３００】
2018530937.tif 000302
はビームグループに相当し、各ビームはDFTベクトルに相当し、
【数３０１】
2018530937.tif 000303
は少なくとも2つの列ベクトルを含む集合であり、
【数３０２】
2018530937.tif 000304
の各列ベクトルはDFTベクトルであり、
【数３０３】
2018530937.tif 000305
の各列ベクトルの次元はX1／2であり、Kは水平方向にあるX1個のアンテナポートに対応するビームグループの合計数であり、
【数３０４】
2018530937.tif 000306
は水平方向にあるX1個のアンテナポートに対応するビームグループにおけるベクトルの数であり、
【数３０５】
2018530937.tif 000307
は、ダブルコードブック構造をとる、アンテナポート数がXであるアンテナの水平方向にあるX1個のアンテナポートの、第2のプリコーディング行列に相当し、
【数３０６】
2018530937.tif 000308
はX1個の行を次元に含む行列であって、
【数３０７】
2018530937.tif 000309
で列選択および／または相調整を遂行するために使われる。相応に、第1の構成情報は第1の副構成情報と第2の副構成情報とを含み、第1の副構成情報は
【数３０８】
2018530937.tif 000310
に対応するコードブックサブセット制限の構成情報であり、第2の副構成情報は
【数３０９】
2018530937.tif 000311
に対応するコードブックサブセット制限の構成情報である。あるいは、第1の構成情報は
【数３１０】
2018530937.tif 000312
に対応するコードブックサブセット制限の構成情報である。
【０１３９】
第1の副構成情報は上位レイヤーシグナリングを用いて送信され、第2の副構成情報はダイナミックシグナリングを用いて送信され、あるいは第1の副構成情報はダイナミックシグナリングを用いて送信され、第2の副構成情報は上位レイヤーシグナリングを用いて送信される。
【０１４０】
任意に選べることとして、アンテナポート数がX2であるコードブック内のプリコーディング行列は
【数３１１】
2018530937.tif 000313
と表され、
【数３１２】
2018530937.tif 000314
、
【数３１３】
2018530937.tif 000315
、l＝0，．．．，L，l’＝f（l）であり、
【数３１４】
2018530937.tif 000316
はクロネッカー積を表す。
【０１４１】
【数３１５】
2018530937.tif 000317
は、ダブルコードブック構造をとる、アンテナポート数がXであるアンテナの垂直方向にあるX2個のアンテナポートの、第1のプリコーディング行列に相当し、
【数３１６】
2018530937.tif 000318
は、ダブルコードブック構造をとる、X2個のアンテナポートの第1のプリコーディング行列で対角位置にある行列に相当し、
【数３１７】
2018530937.tif 000319
はビームグループに相当し、各ビームはDFTベクトルに相当し、
【数３１８】
2018530937.tif 000320
は少なくとも2つの列ベクトルを含む集合であり、
【数３１９】
2018530937.tif 000321
の各列ベクトルはDFTベクトルであり、
【数３２０】
2018530937.tif 000322
の各列ベクトルの次元はX2／2であり、Lは垂直方向にあるX2個のアンテナポートに対応するビームグループの合計数であり、
【数３２１】
2018530937.tif 000323
は垂直方向にあるX2個のアンテナポートに対応するビームグループにおけるベクトルの数であり、
【数３２２】
2018530937.tif 000324
は、ダブルコードブック構造をとる、アンテナポート数がXであるアンテナの垂直方向にあるX2個のアンテナポートの、第2のプリコーディング行列に相当し、
【数３２３】
2018530937.tif 000325
はX2個の行を次元に含む行列であって、
【数３２４】
2018530937.tif 000326
で列選択および／または相調整を遂行するために使われる。相応に、第2の構成情報は第3の副構成情報と第4の副構成情報とを含み、第3の副構成情報は
【数３２５】
2018530937.tif 000327
に対応するコードブックサブセット制限の構成情報であり、第4の副構成情報は
【数３２６】
2018530937.tif 000328
に対応するコードブックサブセット制限の構成情報である。あるいは、第2の構成情報は
【数３２７】
2018530937.tif 000329
に対応するコードブックサブセット制限の構成情報である。
【０１４２】
第3の副構成情報は上位レイヤーシグナリングを用いて送信され、第4の副構成情報はダイナミックシグナリングを用いて送信され、あるいは第3の副構成情報はダイナミックシグナリングを用いて送信され、第4の副構成情報は上位レイヤーシグナリングを用いて送信される。
【０１４３】
任意に選べることとして、アンテナポート数がXであるアンテナは少なくとも2つの行と2つの列とを有するアンテナアレーである。X1個のアンテナポートは同じ水平次元にあり、X2個のアンテナポートは同じ垂直次元にある。あるいは、X1はアンテナポート数がXであるアンテナの列数であり、X2はアンテナポート数がXであるアンテナの行数であり、あるいはX1はアンテナポート数がXであるアンテナの列数の半分であり、X2はアンテナポート数がXであるアンテナの行数であり、あるいはX1はアンテナポート数がXであるアンテナの列数であり、X2はアンテナポート数がXであるアンテナの行数の半分である。
【０１４４】
任意に選べることとして、参照信号はチャネル状態情報参照信号CSI−RSである。
【０１４５】
任意に選べることとして、ダイナミックシグナリングはDL grantシグナリングであり、あるいはUL grantシグナリングである。
【０１４６】
本実施形態で提供されるUEは実施形態1の方法を遂行するよう構成されてよい。具体的な実装と技術的効果は実施形態1の方法のそれと同様であり、ここでは詳細を再度説明しない。
【０１４７】
本発明の実施形態7はUEを提供する。本実施形態におけるUEの構造については図6を参照されたい。本実施形態において、第1の構成情報はアンテナポート数がXであるコードブック内の全プリコーディング行列が区分けされた後に得られるコードブック区分のイネーブリング制限情報であり、アンテナポート数がXであるコードブック内の全プリコーディング行列の区分けはあらかじめ規定され、第2の構成情報は各コードブック区分にあるプリコーディング行列のイネーブリング制限情報である。
【０１４８】
あるいは、第1の構成情報はアンテナポート数がX1であるコードブック内の全プリコーディング行列が区分けされた後に得られるコードブック区分のイネーブリング制限情報であり、アンテナポート数がX1であるコードブック内の全プリコーディング行列の区分けはあらかじめ規定され、第2の構成情報は各コードブック区分にあるプリコーディング行列のイネーブリング制限情報である。
【０１４９】
あるいは、第1の構成情報はアンテナポート数がX2であるコードブック内の全プリコーディング行列が区分けされた後に得られるコードブック区分のイネーブリング制限情報であり、アンテナポート数がX2であるコードブック内の全プリコーディング行列の区分けはあらかじめ規定され、第2の構成情報は各コードブック区分にあるプリコーディング行列のイネーブリング制限情報である。
【０１５０】
任意に選べることとして、第1の構成情報と第2の構成情報はいずれも上位レイヤーシグナリングを用いて送信され、あるいは第1の構成情報は上位レイヤーシグナリングを用いて送信され、第2の構成情報はダイナミックシグナリングを用いて送信され、あるいは第1の構成情報はダイナミックシグナリングを用いて送信され、第2の構成情報は上位レイヤーシグナリングを用いて送信される。
【０１５１】
本実施形態のUEは実施形態2の方法を遂行するよう構成されてよい。具体的な実装と技術的効果は実施形態2の方法のそれと同様であり、ここでは詳細を再度説明しない。
【０１５２】
本発明の実施形態8はUEを提供する。本実施形態におけるUEの構造については図6を参照されたい。本実施形態において、第1の構成情報はアンテナポート数X3のコードブックサブセット制限の構成情報であり、第2の構成情報はアンテナポート数X4のコードブックサブセット制限の構成情報であり、X＝X3＋X4であり、X3＝X4であり、X3個のアンテナポートとX4個のアンテナポートは異なる偏波方向に対応している。
【０１５３】
あるいは、第1の構成情報はX5個のアンテナポートのコードブックサブセット制限の構成情報であり、第2の構成情報はX6個のアンテナポートのコードブックサブセット制限の構成情報であり、X1＝X5＋X6であり、X5＝X6であり、X5個のアンテナポートとX6個のアンテナポートは異なる偏波方向に対応している。
【０１５４】
あるいは、第1の構成情報はX7個のアンテナポートのコードブックサブセット制限の構成情報であり、第2の構成情報はX8個のアンテナポートのコードブックサブセット制限の構成情報であり、X2＝X7＋X8であり、X7＝X8であり、X7個のアンテナポートとX8個のアンテナポートは異なる偏波方向に対応している。
【０１５５】
本実施形態のUEは実施形態3の方法を遂行するよう構成されてよい。具体的な実装と技術的効果は実施形態3の方法のそれと同様であり、ここでは詳細を再度説明しない。
【０１５６】
本発明の実施形態9はUEを提供する。本実施形態におけるUEの構造については図6を参照されたい。本実施形態において、アンテナポート数がXであるアンテナの参照信号が周期的に送信される参照信号である場合、判断モジュール12はチャネル測定とフィードバックを行うべき、アンテナポートのプリコーディング行列を第1の構成情報を用いて判断するよう具体的に構成され、あるいは
アンテナポート数がXであるアンテナの参照信号が周期的に送信されない参照信号である場合、判断モジュール12はチャネル測定とフィードバックを行うべき、アンテナポートのプリコーディング行列を第2の構成情報を用いて判断するよう具体的に構成される。
【０１５７】
任意に選べることとして、第1の構成情報と第2の構成情報はいずれも上位レイヤーシグナリングを用いて送信され、あるいは第1の構成情報は上位レイヤーシグナリングを用いて送信され、第2の構成情報はダイナミックシグナリングを用いて送信され、あるいは第1の構成情報はダイナミックシグナリングを用いて送信され、第2の構成情報は上位レイヤーシグナリングを用いて送信される。
【０１５８】
本実施形態で提供されるUEは実施形態4の方法を遂行するよう構成されてよい。具体的な実装と技術的効果は実施形態4の方法のそれと同様であり、ここでは詳細を再度説明しない。
【０１５９】
本発明の実施形態10はUEを提供する。本実施形態におけるUEの構造については図6を参照されたい。本実施形態において、アンテナポート数がXであるコードブックに含まれるプリコーディング行列はW＝W1（k，l）＊W2と表され、
【数３２８】
2018530937.tif 000330
または
【数３２９】
2018530937.tif 000331
であり、
【数３３０】
2018530937.tif 000332
、l＝0，．．．，L，l’＝f（l）、
【数３３１】
2018530937.tif 000333
、k＝0，．．．，K，k’＝f（k）であり、
【数３３２】
2018530937.tif 000334
はクロネッカー積を表す。
【０１６０】
【数３３３】
2018530937.tif 000335
は水平方向にあるプリコーディング行列に相当し、
【数３３４】
2018530937.tif 000336
はビームグループに相当し、
【数３３５】
2018530937.tif 000337
は少なくとも2つの列ベクトルを含む集合であり、
【数３３６】
2018530937.tif 000338
の各列ベクトルはDFTベクトルであり、
【数３３７】
2018530937.tif 000339
の各列ベクトルの次元は水平方向にある共偏波アンテナの数であり、Kは水平方向にあるビームグループの数であり、
【数３３８】
2018530937.tif 000340
は水平方向にあるビームグループにおけるベクトルの数であり、
【数３３９】
2018530937.tif 000341
は垂直方向にあるプリコーディング行列に相当し、
【数３４０】
2018530937.tif 000342
はビームグループに相当し、
【数３４１】
2018530937.tif 000343
は少なくとも2つの列ベクトルを含む集合であり、
【数３４２】
2018530937.tif 000344
の各列ベクトルはDFTベクトルであり、
【数３４３】
2018530937.tif 000345
の各列ベクトルの次元は垂直方向にある共偏波アンテナの数であり、Lは垂直方向にあるビームグループの数であり、
【数３４４】
2018530937.tif 000346
は垂直方向にあるビームグループにおけるベクトルの数であり、W2はX個の行を次元に含む行列であって、W1（k，l）で列選択および／または相調整を遂行するために使われる。相応に、第1の構成情報はW1（k，l）に対応するコードブックサブセット制限の構成情報であり、第2の構成情報はW2に対応するコードブックサブセット制限の構成情報である。あるいは、第1の構成情報は第5の副構成情報と第6の副構成情報とを含み、第5の副構成情報は
【数３４５】
2018530937.tif 000347
に対応するコードブックサブセット制限の構成情報であり、第6の副構成情報は
【数３４６】
2018530937.tif 000348
に対応するコードブックサブセット制限の構成情報であり、第2の構成情報はW2に対応するコードブックサブセット制限の構成情報である。
【０１６１】
あるいは、アンテナポート数がXであるコードブックに含まれるプリコーディング行列はW＝W1（k，l）＊W2＊W3と表されてよく、
【数３４７】
2018530937.tif 000349
または
【数３４８】
2018530937.tif 000350
であり、
【数３４９】
2018530937.tif 000351
、l＝0，．．．，L，l’＝f（l）、
【数３５０】
2018530937.tif 000352
、k＝0，．．．，K，k’＝f（k）であり、
【数３５１】
2018530937.tif 000353
はクロネッカー積を表す。
【０１６２】
【数３５２】
2018530937.tif 000354
は水平方向にあるプリコーディング行列に相当し、
【数３５３】
2018530937.tif 000355
はビームグループに相当し、
【数３５４】
2018530937.tif 000356
は少なくとも2つの列ベクトルを含む集合であり、
【数３５５】
2018530937.tif 000357
の各列ベクトルはDFTベクトルであり、
【数３５６】
2018530937.tif 000358
の各列ベクトルの次元は水平方向にある共偏波アンテナの数であり、Kは水平方向にあるビームグループの数であり、
【数３５７】
2018530937.tif 000359
は水平方向にあるビームグループにおけるベクトルの数であり、
【数３５８】
2018530937.tif 000360
はW1で垂直方向にあるプリコーディング行列に相当し、
【数３５９】
2018530937.tif 000361
はビームグループに相当し、
【数３６０】
2018530937.tif 000362
は少なくとも2つの列ベクトルを含む集合であり、
【数３６１】
2018530937.tif 000363
の各列ベクトルはDFTベクトルであり、
【数３６２】
2018530937.tif 000364
の各列ベクトルの次元は垂直方向にある共偏波アンテナの数であり、Lは垂直方向にあるビームグループの数であり、
【数３６３】
2018530937.tif 000365
は垂直方向にあるビームグループにおけるベクトルの数であり、W2はX個の行を次元に含む列選択行列であって、W1（k，l）で列選択を遂行するために使われ、W3は相調整行列であり、W3は2アンテナグループ間で相調整を遂行するために使われる。
【０１６３】
相応に、第1の構成情報はW1（k，l）に対応するコードブックサブセット制限の構成情報であり、第2の構成情報はW2に対応するコードブックサブセット制限の構成情報とW3に対応するコードブックサブセット制限の構成情報である。あるいは、第1の構成情報は第5の副構成情報と第6の副構成情報とを含み、第5の副構成情報は
【数３６４】
2018530937.tif 000366
に対応するコードブックサブセット制限の構成情報であり、第6の副構成情報は
【数３６５】
2018530937.tif 000367
に対応するコードブックサブセット制限の構成情報であり、第2の構成情報はW2に対応するコードブックサブセット制限の構成情報とW3に対応するコードブックサブセット制限の構成情報である。
【０１６４】
本実施形態のUEは実施形態5の方法を遂行するよう構成されてよい。具体的な実装と技術的効果は実施形態5の方法のそれと同様であり、ここでは詳細を再度説明しない。
【０１６５】
本発明の実施形態11はUEを提供する。図7は本発明の実施形態11によるUEの概略構造図である。図7に見られるように、本実施形態で提供されるUE 200は、プロセッサ21と、メモリー22と、通信インターフェース23と、システムバス24とを含む。メモリー22と通信インターフェース23とプロセッサ21はシステムバス24を用いて互いに接続されて通信し、メモリー22はコンピュータ実行命令を記憶するよう構成され、通信インターフェース23は他の装置と通信するよう構成され、プロセッサ21はコンピュータ実行命令を実行するよう構成され、これによりUEは下記方法を、すなわち、
基地局によって送信される、アンテナポート数がXであるアンテナの参照信号と、アンテナポート数Xのコードブックサブセット制限の構成情報とを受信するステップであって、アンテナポート数Xのコードブックサブセット制限の構成情報は第1の構成情報と第2の構成情報とを含み、Xは2以上の正の整数である、該ステップと、
アンテナポート数Xのコードブックサブセット制限の構成情報に基づいて、チャネル測定とフィードバックを行うべきプリコーディング行列を判断するステップであって、アンテナポート数Xのコードブックサブセット制限は、測定とフィードバックのため、アンテナポート数がXであるコードブック内の全プリコーディング行列からいくつかのプリコーディング行列を選択することをUEに命じるために使われる、該ステップと、
アンテナポート数がXであるアンテナの参照信号に基づく測定により、チャネル測定とフィードバックを行うべきプリコーディング行列を求めるステップと
を、遂行する。
【０１６６】
任意に選べることとして、第1の構成情報はアンテナポート数X1のコードブックサブセット制限の構成情報であり、第2の構成はアンテナポート数X2のコードブックサブセット制限の構成情報であり、X＝X1×X2である。
【０１６７】
任意に選べることとして、第1の構成情報はアンテナポート数X1のコードブックサブセット制限の構成情報であり、第2の構成はアンテナポート数X2のコードブックサブセット制限の構成情報であり、X＝X1×X2×2である。
【０１６８】
相応に、プロセッサ21が、アンテナポート数Xのコードブックサブセット制限の構成情報に基づいて、チャネル測定とフィードバックを行うべきプリコーディング行列を判断することは、具体的には、
チャネル測定とフィードバックを行うべき、アンテナポートのプリコーディング行列を求めるため、アンテナポート数がX1であるプリコーディング行列とアンテナポート数がX2であるプリコーディング行列とでクロネッカー積を遂行するステップと、
アンテナポート数がXであるプリコーディング行列のW1を求めるため、アンテナポート数がX1であるプリコーディング行列とアンテナポート数がX2であるプリコーディング行列とでクロネッカー積を遂行するステップと、その後、式W＝W1＊W2に従い、チャネル測定とフィードバックを行うべき、アンテナポートのプリコーディング行列を求めるステップであって、W2はX個の行を次元に含む行列であって、W1で列選択および／または相調整を遂行するために使われる、該ステップとである。
【０１６９】
【数３６６】
2018530937.tif 000368
または
【数３６７】
2018530937.tif 000369
であり、
【数３６８】
2018530937.tif 000370
、l＝0，．．．，L，l’＝f（l）、
【数３６９】
2018530937.tif 000371
、k＝0，．．．，K，k’＝f（k）であり、
【数３７０】
2018530937.tif 000372
はクロネッカー積を表す。
【０１７０】
【数３７１】
2018530937.tif 000373
はW1で水平方向にあるプリコーディング行列に相当し、
【数３７２】
2018530937.tif 000374
はビームグループに相当し、
【数３７３】
2018530937.tif 000375
は少なくとも2つの列ベクトルを含む集合であり、
【数３７４】
2018530937.tif 000376
の各列ベクトルはDFTベクトルであり、
【数３７５】
2018530937.tif 000377
の各列ベクトルの次元は水平方向にある共偏波アンテナの数であり、Kは水平方向にあるビームグループの数であり、
【数３７６】
2018530937.tif 000378
は水平方向にあるビームグループにおけるベクトルの数であり、
【数３７７】
2018530937.tif 000379
はW1で垂直方向にあるプリコーディング行列に相当し、
【数３７８】
2018530937.tif 000380
はビームグループに相当し、
【数３７９】
2018530937.tif 000381
は少なくとも2つの列ベクトルを含む集合であり、
【数３８０】
2018530937.tif 000382
の各列ベクトルはDFTベクトルであり、
【数３８１】
2018530937.tif 000383
の各列ベクトルの次元は垂直方向にある共偏波アンテナの数であり、Lは垂直方向にあるビームグループの数であり、
【数３８２】
2018530937.tif 000384
は垂直方向にあるビームグループにおけるベクトルの数である。相応に、第1の構成情報は
【数３８３】
2018530937.tif 000385
に対応するコードブックサブセット制限の構成情報であり、第2の構成情報は
【数３８４】
2018530937.tif 000386
に対応するコードブックサブセット制限の構成情報である。
【０１７１】
任意に選べることとして、アンテナポート数がXであるコードブックに含まれるプリコーディング行列はW＝W1（k，l）＊W2と表され、
【数３８５】
2018530937.tif 000387
または
【数３８６】
2018530937.tif 000388
であり、
【数３８７】
2018530937.tif 000389
、l＝0，．．．，L，l’＝f（l）、
【数３８８】
2018530937.tif 000390
、k＝0，．．．，K，k’＝f（k）であり、
【数３８９】
2018530937.tif 000391
はクロネッカー積を表す。
【０１７２】
【数３９０】
2018530937.tif 000392
は水平方向にあるプリコーディング行列に相当し、
【数３９１】
2018530937.tif 000393
はビームグループに相当し、
【数３９２】
2018530937.tif 000394
は少なくとも2つの列ベクトルを含む集合であり、
【数３９３】
2018530937.tif 000395
の各列ベクトルはDFTベクトルであり、
【数３９４】
2018530937.tif 000396
の各列ベクトルの次元は水平方向にある共偏波アンテナの数であり、Kは水平方向にあるビームグループの数であり、
【数３９５】
2018530937.tif 000397
は水平方向にあるビームグループにおけるベクトルの数であり、
【数３９６】
2018530937.tif 000398
は垂直方向にあるプリコーディング行列に相当し、
【数３９７】
2018530937.tif 000399
はビームグループに相当し、
【数３９８】
2018530937.tif 000400
は少なくとも2つの列ベクトルを含む集合であり、
【数３９９】
2018530937.tif 000401
の各列ベクトルはDFTベクトルであり、
【数４００】
2018530937.tif 000402
の各列ベクトルの次元は垂直方向にある共偏波アンテナの数であり、Lは垂直方向にあるビームグループの数であり、
【数４０１】
2018530937.tif 000403
は垂直方向にあるビームグループにおけるベクトルの数であり、W2はX個の行を次元に含む行列であって、W1（k，l）で列選択および／または相調整を遂行するために使われる。
【０１７３】
相応に、第1の構成情報はW1（k，l）に対応するコードブックサブセット制限の構成情報であり、第2の構成情報はW2に対応するコードブックサブセット制限の構成情報である。あるいは、第1の構成情報は第5の副構成情報と第6の副構成情報とを含み、第5の副構成情報は
【数４０２】
2018530937.tif 000404
に対応するコードブックサブセット制限の構成情報であり、第6の副構成情報は
【数４０３】
2018530937.tif 000405
に対応するコードブックサブセット制限の構成情報であり、第2の構成情報はW2に対応するコードブックサブセット制限の構成情報である。
【０１７４】
任意に選べることとして、第1の構成情報と第2の構成情報はいずれも上位レイヤーシグナリングを用いて送信され、あるいは第1の構成情報は上位レイヤーシグナリングを用いて送信され、第2の構成情報はダイナミックシグナリングを用いて送信され、あるいは第1の構成情報と第2の構成情報はいずれも上位レイヤーシグナリングを用いて送信される。
【０１７５】
任意に選べることとして、X1とX2でアンテナポート数が多い方のアンテナポートのコードブックサブセット制限の構成情報はダイナミックシグナリングを用いて構成され、X1とX2でアンテナポート数が少ない方のアンテナポートのコードブックサブセット制限の構成情報は上位レイヤーシグナリングを用いて構成され、あるいはX1とX2でアンテナポート数が多い方のアンテナポートのコードブックサブセット制限の構成情報は上位レイヤーシグナリングを用いて構成され、X1とX2でアンテナポート数が少ない方のアンテナポートのコードブックサブセット制限の構成情報はダイナミックシグナリングを用いて構成される。
【０１７６】
任意に選べることとして、アンテナポート数がX1であるコードブック内のプリコーディング行列は
【数４０４】
2018530937.tif 000406
と表され、
【数４０５】
2018530937.tif 000407
、
【数４０６】
2018530937.tif 000408
、k＝0，．．．，K，k’＝f（k）であり、
【数４０７】
2018530937.tif 000409
はクロネッカー積を表す。
【０１７７】
【数４０８】
2018530937.tif 000410
は、ダブルコードブック構造をとる、アンテナポート数がXであるアンテナの水平方向にあるX1個のアンテナポートの、第1のプリコーディング行列に相当し、
【数４０９】
2018530937.tif 000411
は、ダブルコードブック構造をとるX1個のアンテナポートの第1のプリコーディング行列で対角位置にある行列に相当し、
【数４１０】
2018530937.tif 000412
はビームグループに相当し、各ビームはDFTベクトルに相当し、
【数４１１】
2018530937.tif 000413
は少なくとも2つの列ベクトルを含む集合であり、
【数４１２】
2018530937.tif 000414
の各列ベクトルはDFTベクトルであり、
【数４１３】
2018530937.tif 000415
の各列ベクトルの次元はX1／2であり、Kは水平方向にあるX1個のアンテナポートに対応するビームグループの合計数であり、
【数４１４】
2018530937.tif 000416
は水平方向にあるX1個のアンテナポートに対応するビームグループにおけるベクトルの数であり、
【数４１５】
2018530937.tif 000417
は、ダブルコードブック構造をとる、アンテナポート数がXであるアンテナの水平方向にあるX1個のアンテナポートの、第2のプリコーディング行列に相当し、
【数４１６】
2018530937.tif 000418
はX1個の行を次元に含む行列であって、
【数４１７】
2018530937.tif 000419
で列選択および／または相調整を遂行するために使われる。相応に、第1の構成情報は第1の副構成情報と第2の副構成情報とを含み、第1の副構成情報は
【数４１８】
2018530937.tif 000420
に対応するコードブックサブセット制限の構成情報であり、第2の副構成情報は
【数４１９】
2018530937.tif 000421
に対応するコードブックサブセット制限の構成情報である。あるいは、第1の構成情報は
【数４２０】
2018530937.tif 000422
に対応するコードブックサブセット制限の構成情報である。
【０１７８】
任意に選べることとして、第1の副構成情報は上位レイヤーシグナリングを用いて送信され、第2の副構成情報はダイナミックシグナリングを用いて送信され、あるいは第1の副構成情報はダイナミックシグナリングを用いて送信され、第2の副構成情報は上位レイヤーシグナリングを用いて送信される。
【０１７９】
任意に選べることとして、アンテナポート数がX2であるコードブック内のプリコーディング行列は
【数４２１】
2018530937.tif 000423
と表され、
【数４２２】
2018530937.tif 000424
、
【数４２３】
2018530937.tif 000425
、l＝0，．．．，L，l’＝f（l）であり、
【数４２４】
2018530937.tif 000426
はクロネッカー積を表す。
【０１８０】
【数４２５】
2018530937.tif 000427
は、ダブルコードブック構造をとる、アンテナポート数がXであるアンテナの垂直方向にあるX2個のアンテナポートの、第1のプリコーディング行列に相当し、
【数４２６】
2018530937.tif 000428
は、ダブルコードブック構造をとる、X2個のアンテナポートの第1のプリコーディング行列で対角位置にある行列に相当し、
【数４２７】
2018530937.tif 000429
はビームグループに相当し、各ビームはDFTベクトルに相当し、
【数４２８】
2018530937.tif 000430
は少なくとも2つの列ベクトルを含む集合であり、
【数４２９】
2018530937.tif 000431
の各列ベクトルはDFTベクトルであり、
【数４３０】
2018530937.tif 000432
の各列ベクトルの次元はX2／2であり、Lは垂直方向にあるX2個のアンテナポートに対応するビームグループの合計数であり、
【数４３１】
2018530937.tif 000433
は垂直方向にあるX2個のアンテナポートに対応するビームグループにおけるベクトルの数であり、
【数４３２】
2018530937.tif 000434
は、ダブルコードブック構造をとる、アンテナポート数がXであるアンテナの垂直方向にあるX2個のアンテナポートの、第2のプリコーディング行列に相当し、
【数４３３】
2018530937.tif 000435
はX2個の行を次元に含む行列であって、
【数４３４】
2018530937.tif 000436
で列選択および／または相調整を遂行するために使われる。相応に、第2の構成情報は第3の副構成情報と第4の副構成情報とを含み、第3の副構成情報は
【数４３５】
2018530937.tif 000437
に対応するコードブックサブセット制限の構成情報であり、第4の副構成情報は
【数４３６】
2018530937.tif 000438
に対応するコードブックサブセット制限の構成情報である。あるいは、第2の構成情報は
【数４３７】
2018530937.tif 000439
に対応するコードブックサブセット制限の構成情報である。
【０１８１】
任意に選べることとして、第3の副構成情報は上位レイヤーシグナリングを用いて送信され、第4の副構成情報はダイナミックシグナリングを用いて送信され、あるいは第3の副構成情報はダイナミックシグナリングを用いて送信され、第4の副構成情報は上位レイヤーシグナリングを用いて送信される。
【０１８２】
アンテナポート数がXであるアンテナは少なくとも2つの行と2つの列とを有するアンテナアレーである。X1個のアンテナポートは同じ水平次元にあり、X2個のアンテナポートは同じ垂直次元にある。あるいは、X1はアンテナポート数がXであるアンテナの列数であり、X2はアンテナポート数がXであるアンテナの行数であり、あるいはX1はアンテナポート数がXであるアンテナの列数の半分であり、X2はアンテナポート数がXであるアンテナの行数であり、あるいはX1はアンテナポート数がXであるアンテナの列数であり、X2はアンテナポート数がXであるアンテナの行数の半分である。
【０１８３】
任意に選べることとして、第1の構成情報はアンテナポート数がXであるコードブック内の全プリコーディング行列が区分けされた後に得られるコードブック区分のイネーブリング制限情報であり、アンテナポート数がXであるコードブック内の全プリコーディング行列の区分けはあらかじめ規定され、第2の構成情報は各コードブック区分にあるプリコーディング行列のイネーブリング制限情報である。
【０１８４】
任意に選べることとして、第1の構成情報はアンテナポート数がX1であるコードブック内の全プリコーディング行列が区分けされた後に得られるコードブック区分のイネーブリング制限情報であり、アンテナポート数がX1であるコードブック内の全プリコーディング行列の区分けはあらかじめ規定され、第2の構成情報は各コードブック区分にあるプリコーディング行列のイネーブリング制限情報である。あるいは、第1の構成情報はアンテナポート数がX2であるコードブック内の全プリコーディング行列が区分けされた後に得られるコードブック区分のイネーブリング制限情報であり、アンテナポート数がX2であるコードブック内の全プリコーディング行列の区分けはあらかじめ規定され、第2の構成情報は各コードブック区分にあるプリコーディング行列のイネーブリング制限情報である。
【０１８５】
任意に選べることとして、第1の構成情報はアンテナポート数X3のコードブックサブセット制限の構成情報であり、第2の構成情報はアンテナポート数X4のコードブックサブセット制限の構成情報であり、X＝X3＋X4であり、X3＝X4であり、X3個のアンテナポートとX4個のアンテナポートは異なる偏波方向に対応している。
【０１８６】
任意に選べることとして、第1の構成情報はX5個のアンテナポートのコードブックサブセット制限の構成情報であり、第2の構成情報はX6個のアンテナポートのコードブックサブセット制限の構成情報であり、X1＝X5＋X6であり、X5＝X6であり、X5個のアンテナポートとX6個のアンテナポートは異なる偏波方向に対応している。あるいは、第1の構成情報はX7個のアンテナポートのコードブックサブセット制限の構成情報であり、第2の構成情報はX8個のアンテナポートのコードブックサブセット制限の構成情報であり、X2＝X7＋X8であり、X7＝X8であり、X7個のアンテナポートとX8個のアンテナポートは異なる偏波方向に対応している。
【０１８７】
任意に選べることとして、アンテナポート数がXであるコードブックに含まれるプリコーディング行列はW＝W1（k，l）＊W2＊W3と表されてよく、
【数４３８】
2018530937.tif 000440
または
【数４３９】
2018530937.tif 000441
であり、
【数４４０】
2018530937.tif 000442
、l＝0，．．．，L，l’＝f（l）、
【数４４１】
2018530937.tif 000443
、k＝0，．．．，K，k’＝f（k）であり、
【数４４２】
2018530937.tif 000444
はクロネッカー積を表す。
【０１８８】
【数４４３】
2018530937.tif 000445
は水平方向にあるプリコーディング行列に相当し、
【数４４４】
2018530937.tif 000446
はビームグループに相当し、
【数４４５】
2018530937.tif 000447
は少なくとも2つの列ベクトルを含む集合であり、
【数４４６】
2018530937.tif 000448
の各列ベクトルはDFTベクトルであり、
【数４４７】
2018530937.tif 000449
の各列ベクトルの次元は水平方向にある共偏波アンテナの数であり、Kは水平方向にあるビームグループの数であり、
【数４４８】
2018530937.tif 000450
は水平方向にあるビームグループにおけるベクトルの数であり、
【数４４９】
2018530937.tif 000451
はW1で垂直方向にあるプリコーディング行列に相当し、
【数４５０】
2018530937.tif 000452
はビームグループに相当し、
【数４５１】
2018530937.tif 000453
は少なくとも2つの列ベクトルを含む集合であり、
【数４５２】
2018530937.tif 000454
の各列ベクトルはDFTベクトルであり、
【数４５３】
2018530937.tif 000455
の各列ベクトルの次元は垂直方向にある共偏波アンテナの数であり、Lは垂直方向にあるビームグループの数であり、
【数４５４】
2018530937.tif 000456
は垂直方向にあるビームグループにおけるベクトルの数であり、W2はX個の行を次元に含む列選択行列であって、W1（k，l）で列選択を遂行するために使われ、W3は相調整行列であり、W3は2アンテナグループ間で相調整を遂行するために使われる。
【０１８９】
相応に、第1の構成情報はW1（k，l）に対応するコードブックサブセット制限の構成情報であり、第2の構成情報はW2に対応するコードブックサブセット制限の構成情報とW3に対応するコードブックサブセット制限の構成情報である。あるいは、第1の構成情報は第5の副構成情報と第6の副構成情報とを含み、第5の副構成情報は
【数４５５】
2018530937.tif 000457
に対応するコードブックサブセット制限の構成情報であり、第6の副構成情報は
【数４５６】
2018530937.tif 000458
に対応するコードブックサブセット制限の構成情報であり、第2の構成情報はW2に対応するコードブックサブセット制限の構成情報とW3に対応するコードブックサブセット制限の構成情報である。
【０１９０】
任意に選べることとして、アンテナポート数がXであるアンテナの参照信号が周期的に送信される参照信号である場合に、プロセッサ21が、アンテナポート数Xのコードブックサブセット制限の構成情報に基づいて、チャネル測定とフィードバックを行うべき、アンテナポートのプリコーディング行列を判断することは、具体的には、チャネル測定とフィードバックを行うべき、アンテナポートのプリコーディング行列を第1の構成情報を用いて判断するステップである。
【０１９１】
アンテナポート数がXであるアンテナの参照信号が周期的に送信されない参照信号である場合に、プロセッサ21が、アンテナポート数Xのコードブックサブセット制限の構成情報に基づいて、チャネル測定とフィードバックを行うべき、アンテナポートのプリコーディング行列を判断することは、チャネル測定とフィードバックを行うべき、アンテナポートのプリコーディング行列を第2の構成情報を用いて判断するステップを含む。
【０１９２】
任意に選べることとして、参照信号はチャネル状態情報参照信号CSI−RSである。
【０１９３】
任意に選べることとして、ダイナミックシグナリングはDL grantシグナリングであり、あるいはUL grantシグナリングである。
【０１９４】
本実施形態のUEは実施形態1から実施形態5までの方法を遂行するよう構成されてよい。具体的な実装と技術的効果は実施形態1から実施形態5までの方法のそれと同様であり、ここでは詳細を再度説明しない。
【０１９５】
当業者なら、方法の実施形態のステップの全部または一部が関連ハードウェアに命令するプログラムによって実施され得ることを理解できる。プログラムはコンピュータ可読記憶媒体に記憶されてよい。プログラムが実行されると、方法の実施形態のステップが遂行される。前述した記憶媒体は、ROM、RAM、磁気ディスク、光ディスク等、プログラムコードを記憶できるあらゆる媒体を含む。
【０１９６】
最後に、上記の実施形態が本発明の技術的解決手段を説明するものに過ぎず、本発明を制限するものではないことに注意されたい。上記の実施形態を参照しながら本発明を詳しく説明したが、当業者は、当業者が本発明の実施形態の技術的解決手段の範囲から逸脱することなく上記の実施形態で説明されている技術的解決手段に修正を加えることができること、あるいは技術的解決手段の一部または全部の技術的特徴を同等の技術的特徴に差し替えることができることを、理解しなければならない。
【符号の説明】
【０１９７】
11  受信モジュール
12  判断モジュール
13  測定モジュール
21  プロセッサ
22  メモリー
23  通信インターフェース
24  システムバス
200  UE
【図１】
2018530937.tif 000641
【図２】
2018530937.tif 000642
【図３】
2018530937.tif 000643
【図４】
2018530937.tif 000644
【図５】
2018530937.tif 000645
【図６】
2018530937.tif 000646
【図７】
2018530937.tif 000647
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
コードブック構成方法であって、
基地局によって送信される、アンテナポート数がXであるアンテナの参照信号と、前記アンテナポート数Xのコードブックサブセット制限の構成情報とを、ユーザー機器UEにより受信するステップであって、前記アンテナポート数Xの前記コードブックサブセット制限の前記構成情報は第1の構成情報と第2の構成情報とを含み、Xは2以上の正の整数である、前記ステップと、
前記アンテナポート数Xの前記コードブックサブセット制限の前記構成情報に基づいて、チャネル測定とフィードバックを行うべきプリコーディング行列を前記UEにより判断するステップであって、前記アンテナポート数Xの前記コードブックサブセット制限は、測定とフィードバックのため、アンテナポート数がXであるコードブック内の全プリコーディング行列からいくつかのプリコーディング行列を選択することを前記UEに命じるために使われる、前記ステップと、
アンテナポート数がXである前記アンテナの前記参照信号に基づく測定により、チャネル測定とフィードバックを行うべき前記プリコーディング行列を前記UEにより求めるステップと
を含む、コードブック構成方法。
【請求項２】
前記第1の構成情報はアンテナポート数X1のコードブックサブセット制限の構成情報であり、前記第2の構成はアンテナポート数X2のコードブックサブセット制限の構成情報であり、X＝X1×X2である、請求項1に記載の方法。
【請求項３】
前記第1の構成情報はアンテナポート数X1のコードブックサブセット制限の構成情報であり、前記第2の構成はアンテナポート数X2のコードブックサブセット制限の構成情報であり、X＝X1×X2×2である、請求項1に記載の方法。
【請求項４】
前記UEにより、前記アンテナポート数Xの前記コードブックサブセット制限の前記構成情報に基づいて、チャネル測定とフィードバックを行うべきプリコーディング行列を判断する前記ステップは、
チャネル測定とフィードバックを行うべき、アンテナポートの前記プリコーディング行列を求めるため、前記UEにより、アンテナポート数がX1であるプリコーディング行列とアンテナポート数がX2であるプリコーディング行列とでクロネッカー積を遂行するステップ
を含む、請求項2または3に記載の方法。
【請求項５】
チャネル測定とフィードバックを行うべき、アンテナポートの前記プリコーディング行列を求めるため、前記UEにより、アンテナポート数がX1であるプリコーディング行列とアンテナポート数がX2であるプリコーディング行列とでクロネッカー積を遂行する前記ステップは、
アンテナポート数がXであるプリコーディング行列のW1を求めるため、前記UEにより、アンテナポート数がX1である前記プリコーディング行列とアンテナポート数がX2である前記プリコーディング行列とで前記クロネッカー積を遂行するステップと、
前記UEにより、式W＝W1＊W2に従い、チャネル測定とフィードバックを行うべき、アンテナポートの前記プリコーディング行列を求めるステップであって、W2はX個の行を次元に含む行列であって、W1で列選択および／または相調整を遂行するために使われる、前記ステップと
を含む、請求項4に記載の方法。
【請求項６】
【数１】
2018530937.tif 000648
または
【数２】
2018530937.tif 000649
であり、
【数３】
2018530937.tif 000650
、l＝0，．．．，L，l’＝f（l）、
【数４】
2018530937.tif 000651
、k＝0，．．．，K，k’＝f（k）であり、
【数５】
2018530937.tif 000652
はクロネッカー積を表し、
【数６】
2018530937.tif 000653
はW1で水平方向にあるプリコーディング行列に相当し、
【数７】
2018530937.tif 000654
はビームグループに相当し、
【数８】
2018530937.tif 000655
は少なくとも2つの列ベクトルを含む集合であり、
【数９】
2018530937.tif 000656
の各列ベクトルはDFTベクトルであり、
【数１０】
2018530937.tif 000657
の各列ベクトルの次元は前記水平方向にある共偏波アンテナの数であり、Kは前記水平方向にあるビームグループの数であり、
【数１１】
2018530937.tif 000658
は前記水平方向にあるビームグループにおけるベクトルの数であり、
【数１２】
2018530937.tif 000659
はW1で垂直方向にあるプリコーディング行列に相当し、
【数１３】
2018530937.tif 000660
はビームグループに相当し、
【数１４】
2018530937.tif 000661
は少なくとも2つの列ベクトルを含む集合であり、
【数１５】
2018530937.tif 000662
の各列ベクトルはDFTベクトルであり、
【数１６】
2018530937.tif 000663
の各列ベクトルの次元は前記垂直方向にある共偏波アンテナの数であり、Lは前記垂直方向にあるビームグループの数であり、
【数１７】
2018530937.tif 000664
は前記垂直方向にあるビームグループにおけるベクトルの数であり、
前記第1の構成情報は
【数１８】
2018530937.tif 000665
に対応するコードブックサブセット制限の構成情報であり、前記第2の構成情報は
【数１９】
2018530937.tif 000666
に対応するコードブックサブセット制限の構成情報である、
請求項5に記載の方法。
【請求項７】
アンテナポート数がXである前記コードブックに含まれるプリコーディング行列はW＝W1（k，l）＊W2と表され、
【数２０】
2018530937.tif 000667
または
【数２１】
2018530937.tif 000668
であり、
【数２２】
2018530937.tif 000669
、l＝0，．．．，L，l’＝f（l）、
【数２３】
2018530937.tif 000670
、k＝0，．．．，K，k’＝f（k）であり、
【数２４】
2018530937.tif 000671
はクロネッカー積を表し、
【数２５】
2018530937.tif 000672
は水平方向にあるプリコーディング行列に相当し、
【数２６】
2018530937.tif 000673
はビームグループに相当し、
【数２７】
2018530937.tif 000674
は少なくとも2つの列ベクトルを含む集合であり、
【数２８】
2018530937.tif 000675
の各列ベクトルはDFTベクトルであり、
【数２９】
2018530937.tif 000676
の各列ベクトルの次元は前記水平方向にある共偏波アンテナの数であり、Kは前記水平方向にあるビームグループの数であり、
【数３０】
2018530937.tif 000677
は前記水平方向にあるビームグループにおけるベクトルの数であり、
【数３１】
2018530937.tif 000678
は垂直方向にあるプリコーディング行列に相当し、
【数３２】
2018530937.tif 000679
はビームグループに相当し、
【数３３】
2018530937.tif 000680
は少なくとも2つの列ベクトルを含む集合であり、
【数３４】
2018530937.tif 000681
の各列ベクトルはDFTベクトルであり、
【数３５】
2018530937.tif 000682
の各列ベクトルの次元は前記垂直方向にある共偏波アンテナの数であり、Lは前記垂直方向にあるビームグループの数であり、
【数３６】
2018530937.tif 000683
は前記垂直方向にあるビームグループにおけるベクトルの数であり、W2はX個の行を次元に含む行列であって、W1（k，l）で列選択および／または相調整を遂行するために使われ、
前記第1の構成情報はW1（k，l）に対応するコードブックサブセット制限の構成情報であり、前記第2の構成情報はW2に対応するコードブックサブセット制限の構成情報であり、あるいは
前記第1の構成情報は第5の副構成情報と第6の副構成情報とを含み、前記第5の副構成情報は
【数３７】
2018530937.tif 000684
に対応するコードブックサブセット制限の構成情報であり、前記第6の副構成情報は
【数３８】
2018530937.tif 000685
に対応するコードブックサブセット制限の構成情報であり、前記第2の構成情報はW2に対応するコードブックサブセット制限の構成情報である、
請求項1に記載の方法。
【請求項８】
ユーザー機器UEであって、
基地局によって送信される、アンテナポート数がXであるアンテナの参照信号と、前記アンテナポート数Xのコードブックサブセット制限の構成情報とを受信するよう構成された受信モジュールであって、前記アンテナポート数Xの前記コードブックサブセット制限の前記構成情報は第1の構成情報と第2の構成情報とを含み、Xは2以上の正の整数である、受信モジュールと、
前記アンテナポート数Xの前記コードブックサブセット制限の前記構成情報に基づいて、チャネル測定とフィードバックを行うべきプリコーディング行列を判断するよう構成された判断モジュールであって、前記アンテナポート数Xの前記コードブックサブセット制限は、測定とフィードバックのため、アンテナポート数がXであるコードブック内の全プリコーディング行列からいくつかのプリコーディング行列を選択することを前記UEに命じるために使われる、判断モジュールと、
アンテナポート数がXである前記アンテナの前記参照信号に基づく測定により、チャネル測定とフィードバックを行うべき前記プリコーディング行列を求めるよう構成された測定モジュールと
を含む、ユーザー機器UE。
【請求項９】
前記第1の構成情報はアンテナポート数X1のコードブックサブセット制限の構成情報であり、前記第2の構成はアンテナポート数X2のコードブックサブセット制限の構成情報であり、X＝X1×X2である、請求項8に記載のUE。
【請求項１０】
前記第1の構成情報はアンテナポート数X1のコードブックサブセット制限の構成情報であり、前記第2の構成はアンテナポート数X2のコードブックサブセット制限の構成情報であり、X＝X1×X2×2である、請求項8に記載のUE。
【請求項１１】
前記判断モジュールは、
チャネル測定とフィードバックを行うべき、アンテナポートの前記プリコーディング行列を求めるため、アンテナポート数がX1であるプリコーディング行列とアンテナポート数がX2であるプリコーディング行列とでクロネッカー積を遂行する
よう具体的に構成される、請求項9または10に記載のUE。
【請求項１２】
前記判断モジュールは、
アンテナポート数がXであるプリコーディング行列のW1を求めるため、アンテナポート数がX1である前記プリコーディング行列とアンテナポート数がX2である前記プリコーディング行列とで前記クロネッカー積を遂行し、尚且つ
式W＝W1＊W2に従い、チャネル測定とフィードバックを行うべき、アンテナポートの前記プリコーディング行列を求めるよう具体的に構成され、W2はX個の行を次元に含む行列であって、W1で列選択および／または相調整を遂行するために使われる、
請求項11に記載のUE。
【請求項１３】
【数３９】
2018530937.tif 000686
または
【数４０】
2018530937.tif 000687
であり、
【数４１】
2018530937.tif 000688
、l＝0，．．．，L，l’＝f（l）、
【数４２】
2018530937.tif 000689
、k＝0，．．．，K，k’＝f（k）であり、
【数４３】
2018530937.tif 000690
はクロネッカー積を表し、
【数４４】
2018530937.tif 000691
はW1で水平方向にあるプリコーディング行列に相当し、
【数４５】
2018530937.tif 000692
はビームグループに相当し、
【数４６】
2018530937.tif 000693
は少なくとも2つの列ベクトルを含む集合であり、
【数４７】
2018530937.tif 000694
の各列ベクトルはDFTベクトルであり、
【数４８】
2018530937.tif 000695
の各列ベクトルの次元は前記水平方向にある共偏波アンテナの数であり、Kは前記水平方向にあるビームグループの数であり、
【数４９】
2018530937.tif 000696
は前記水平方向にあるビームグループにおけるベクトルの数であり、
【数５０】
2018530937.tif 000697
はW1で垂直方向にあるプリコーディング行列に相当し、
【数５１】
2018530937.tif 000698
はビームグループに相当し、
【数５２】
2018530937.tif 000699
は少なくとも2つの列ベクトルを含む集合であり、
【数５３】
2018530937.tif 000700
の各列ベクトルはDFTベクトルであり、
【数５４】
2018530937.tif 000701
の各列ベクトルの次元は前記垂直方向にある共偏波アンテナの数であり、Lは前記垂直方向にあるビームグループの数であり、
【数５５】
2018530937.tif 000702
は前記垂直方向にあるビームグループにおけるベクトルの数であり、
前記第1の構成情報は
【数５６】
2018530937.tif 000703
に対応するコードブックサブセット制限の構成情報であり、前記第2の構成情報は
【数５７】
2018530937.tif 000704
に対応するコードブックサブセット制限の構成情報である、
請求項12に記載のUE。
【請求項１４】
アンテナポート数がXである前記コードブックに含まれるプリコーディング行列はW＝W1（k，l）＊W2と表され、
【数５８】
2018530937.tif 000705
または
【数５９】
2018530937.tif 000706
であり、
【数６０】
2018530937.tif 000707
、l＝0，．．．，L，l’＝f（l）、
【数６１】
2018530937.tif 000708
、k＝0，．．．，K，k’＝f（k）であり、
【数６２】
2018530937.tif 000709
はクロネッカー積を表し、
【数６３】
2018530937.tif 000710
は水平方向にあるプリコーディング行列に相当し、
【数６４】
2018530937.tif 000711
はビームグループに相当し、
【数６５】
2018530937.tif 000712
は少なくとも2つの列ベクトルを含む集合であり、
【数６６】
2018530937.tif 000713
の各列ベクトルはDFTベクトルであり、
【数６７】
2018530937.tif 000714
の各列ベクトルの次元は前記水平方向にある共偏波アンテナの数であり、Kは前記水平方向にあるビームグループの数であり、
【数６８】
2018530937.tif 000715
は前記水平方向にあるビームグループにおけるベクトルの数であり、
【数６９】
2018530937.tif 000716
は垂直方向にあるプリコーディング行列に相当し、
【数７０】
2018530937.tif 000717
はビームグループに相当し、
【数７１】
2018530937.tif 000718
は少なくとも2つの列ベクトルを含む集合であり、
【数７２】
2018530937.tif 000719
の各列ベクトルはDFTベクトルであり、
【数７３】
2018530937.tif 000720
の各列ベクトルの次元は前記垂直方向にある共偏波アンテナの数であり、Lは前記垂直方向にあるビームグループの数であり、
【数７４】
2018530937.tif 000721
は前記垂直方向にあるビームグループにおけるベクトルの数であり、W2はX個の行を次元に含む行列であって、W1（k，l）で列選択および／または相調整を遂行するために使われ、
前記第1の構成情報はW1（k，l）に対応するコードブックサブセット制限の構成情報であり、前記第2の構成情報はW2に対応するコードブックサブセット制限の構成情報であり、あるいは
前記第1の構成情報は第5の副構成情報と第6の副構成情報とを含み、前記第5の副構成情報は
【数７５】
2018530937.tif 000722
に対応するコードブックサブセット制限の構成情報であり、前記第6の副構成情報は
【数７６】
2018530937.tif 000723
に対応するコードブックサブセット制限の構成情報であり、前記第2の構成情報はW2に対応するコードブックサブセット制限の構成情報である、
請求項8に記載のUE。
【請求項１５】
プロセッサと、メモリーと、通信インターフェースと、システムバスとを含むユーザー機器UEであって、前記メモリーと前記通信インターフェースと前記プロセッサは前記システムバスを用いて互いに接続されて通信し、前記メモリーはコンピュータ実行命令を記憶するよう構成され、前記通信インターフェースは他の装置と通信するよう構成され、前記プロセッサは前記コンピュータ実行命令を実行するよう構成され、これにより前記UEは請求項1から7のいずれか一項に記載された方法を遂行する、ユーザー機器UE。
【国際調査報告】
2018530937.tif 000724
2018530937.tif 000725
2018530937.tif 000726
2018530937.tif 000727
2018530937.tif 000728